(57)【要約】【課題】高エネルギーイオン注入装置に適するビーム平行化器を提供する。【解決手段】ビーム平行化器３００は、基準軌道に対し平行化されたビームをビーム平行化器３００の出口に生成するように、基準軌道に沿って配列されている複数のレンズ部３１０、３１２を備える。複数のレンズ部３１０、３１２の各々は、弓形状湾曲ギャップを形成し、弓形状湾曲ギャップに印加される電場により基準軌道に対しビーム進行方向のなす角度を変えるよう構成されている。空間部３２２、３２４が複数のレンズ部３１０、３１２のうち一のレンズ部と当該レンズ部に隣接するレンズ部との間に設けられている。空間部３２２、３２４は、平行化されたビームの基準軌道に垂直な断面における短手方向に向けられている。基準軌道を含む内側領域が複数のレンズ部３１０、３１２の外側領域へと空間部３２２、３２４を通じて接続されている。【選択図】図１９
2015153468.tif 000002
【特許請求の範囲】
【請求項１】
イオン注入装置のビーム平行化器であって、
基準軌道に対し平行化されたビームを前記ビーム平行化器の出口に生成するように、前記基準軌道に沿って配列されている複数の加速または減速レンズ部と、
前記複数のレンズ部を囲む真空容器と、を備え、
前記複数のレンズ部の各々は、少なくとも２つの電極から構成される弓形状湾曲ギャップを形成し、前記弓形状湾曲ギャップに印加される電場により前記基準軌道に対しビーム進行方向のなす角度を変えるよう構成されており、
前記複数のレンズ部のうち一のレンズ部の一方の電極と当該レンズ部に隣接するレンズ部の他方の電極を同電位に構成するとともに、
空間部が前記複数のレンズ部のうち一のレンズ部と当該レンズ部に隣接するレンズ部との間に設けられており、前記空間部は、前記基準軌道上のビーム平行化平面と垂直に交差する方向に向けられており、前記基準軌道を含む内側領域が、前記真空容器と前記複数のレンズ部の間となる外側領域へと前記空間部を通じて連通されていることを特徴とするビーム平行化器。
【請求項２】
前記複数のレンズ部は、上部構造と下部構造とに分割されており、前記上部構造と前記下部構造との間に前記基準軌道を含む内側領域が形成されていることを特徴とする請求項１に記載のビーム平行化器。
【請求項３】
前記複数のレンズ部は、前記上部構造と前記下部構造との相対位置を前記基準軌道に対して調整可能であるよう構成されていることを特徴とする請求項２に記載のビーム平行化器。
【請求項４】
前記複数のレンズ部の各々は、前記弓形状湾曲ギャップを定める湾曲面を各々が備える一対の電極部材を備え、各電極部材は、前記基準軌道に近接する電極中央部から両側にビーム輸送空間の外縁へと延びる背面を前記湾曲面と反対側に備え、
前記空間部は、前記隣接するレンズ部に近い前記一のレンズ部の電極部材の背面と、前記一のレンズ部に近い前記隣接するレンズ部の電極部材の背面との間に形成されていることを特徴とする請求項１から３のいずれかに記載のビーム平行化器。
【請求項５】
前記真空容器は、前記基準軌道の一方側と他方側とにそれぞれ容器壁を備え、
前記一対の電極部材の各々は、前記基準軌道を挟んで離間配置される一組の電極片を備え、前記一組の電極片の一方は前記基準軌道の一方側の前記容器壁に支持され、前記一組の電極片の他方は前記基準軌道の他方側の前記容器壁に支持されていることを特徴とする請求項４に記載のビーム平行化器。
【請求項６】
各電極片は、弓形に湾曲した棒状体に形成されていることを特徴とする請求項５に記載のビーム平行化器。
【請求項７】
各電極部材の背面は、前記湾曲面に沿って湾曲していることを特徴とする請求項４から６のいずれかに記載のビーム平行化器。
【請求項８】
少なくとも１つのレンズ部は、前記基準軌道から遠い側で前記空間部を覆う蓋部を備えることを特徴とする請求項１から７のいずれかに記載のビーム平行化器。
【請求項９】
前記蓋部は、前記空間部を通じた前記内側領域の真空排気を許容するよう構成されていることを特徴とする請求項８に記載のビーム平行化器。
【請求項１０】
前記複数のレンズ部の少なくとも一部を支持するベースプレートが前記複数のレンズ部の外側領域に設けられていることを特徴とする請求項１から９のいずれかに記載のビーム平行化器。
【請求項１１】
前記ベースプレートは、前記空間部を通じた前記内側領域の真空排気を許容するよう構成されていることを特徴とする請求項１０に記載のビーム平行化器。
【請求項１２】
少なくとも１つの電極部材または電極片が絶縁体または導電体を介して前記ベースプレートに取り付けられていることを特徴とする請求項１０または１１に記載のビーム平行化器。
【請求項１３】
前記ベースプレートは、前記真空容器に対し移動可能に構成され、前記ベースプレートと前記真空容器との間に前記ベースプレートを案内する案内部が設けられていることを特徴とする請求項１０から１２のいずれかに記載のビーム平行化器。
【請求項１４】
前記真空容器は、開閉可能な壁部を備え、前記案内部は、前記壁部を通じて前記ベースプレートを前記真空容器の外に引き出し可能に構成されていることを特徴とする請求項１３に記載のビーム平行化器。
【請求項１５】
前記複数のレンズ部に給電するよう構成されている給電部をさらに備え、
前記給電部は、前記真空容器の外から給電され、前記真空容器と前記複数のレンズ部との間に配置されている給電プレートを備えることを特徴とする請求項１から１４のいずれかに記載のビーム平行化器。
【請求項１６】
前記給電部は、前記複数のレンズ部の少なくとも１つの電極部材または電極片に前記給電プレートから給電するための端子部を備え、
前記端子部は、前記複数のレンズ部がイオン注入のための定位置にあるとき前記給電プレートと前記少なくとも１つの電極部材または電極片との間で圧縮される弾性導体を備えることを特徴とする請求項１５に記載のビーム平行化器。
【請求項１７】
前記給電プレートは、前記真空容器の開閉可能な壁部とは反対側の壁部と前記複数のレンズ部との間に配置されていることを特徴とする請求項１５または１６に記載のビーム平行化器。
【請求項１８】
前記ビーム平行化器の入口の上流にビームを遮蔽するビームダンプ部が設けられていることを特徴とする請求項１から１７のいずれかに記載のビーム平行化器。
【請求項１９】
前記複数のレンズ部は、複数の加速レンズ部と複数の減速レンズ部とを備え、加速レンズ部と減速レンズ部とが交互に配列されていることを特徴とする請求項１から１８のいずれかに記載のビーム平行化器。
【請求項２０】
各々の入口加速電極部材及び出口減速電極部材の両端部には、延長電極部を備えるよう構成し、加速または減速の同電位の電界領域を保持するよう構成したことを特徴とする請求項１から１９のいずれかに記載のビーム平行化器。
【請求項２１】
前記弓形状湾曲ギャップは、前記平行化されたビームの前記基準軌道に垂直な断面における短手方向に向けられており、前記基準軌道を含む内側領域が前記複数のレンズ部の外側領域へと前記弓形状湾曲ギャップを通じて連通されていることを特徴とする請求項１から２０のいずれかに記載のビーム平行化器。
【請求項２２】
イオン注入装置のビーム平行化器であって、
基準軌道に対し平行化されたビームを前記ビーム平行化器の出口に生成する少なくとも１つの複数のレンズ部を備え、
前記少なくとも１つのレンズ部の各々は、弓形状湾曲ギャップを形成する一対の電極部材を備え、前記弓形状湾曲ギャップに印加される電場により前記基準軌道に対しビーム進行方向のなす角度を変えるよう構成されており、
前記一対の電極部材の各々は、複数の弓形状に湾曲した電極片を備えることを特徴とするビーム平行化器。
【請求項２３】
イオン注入装置のビーム平行化器であって、
基準軌道に対し平行化されたビームを前記ビーム平行化器の出口に生成する少なくとも１つのレンズ部と、
前記少なくとも１つのレンズ部を囲み、前記基準軌道の一方側と他方側とにそれぞれ容器壁を備える真空容器と、を備え、
前記少なくとも１つのレンズ部の各々は、弓形状湾曲ギャップを形成する一対の電極部材を備え、前記弓形状湾曲ギャップに印加される電場により前記基準軌道に対しビーム進行方向のなす角度を変えるよう構成されており、
前記一対の電極部材の各々は、前記基準軌道を挟んで離間配置される一組の電極片を備え、前記一組の電極片の一部は前記基準軌道の一方側の前記容器壁に支持され、前記一組の電極片の他の一部は前記基準軌道の他方側の前記容器壁に支持されていることを特徴とするビーム平行化器。
【請求項２４】
請求項１から２３のいずれかに記載のビーム平行化器を備えるビーム輸送ラインユニットと、
イオンビームを生成するイオンビーム生成ユニットと、
前記イオンビームを加速する高エネルギー多段直線加速ユニットと、
高エネルギーに加速されたイオンビームを前記ビーム輸送ラインユニットへと方向変換する偏向ユニットと、を備えることを特徴とする高エネルギーイオン注入装置。
【請求項２５】
ビームラインの基準軌道の両側にビームをスキャンするビーム走査器をさらに備え、
前記複数のレンズ部の各々は、前記基準軌道の両側にスキャンされたビームを、基準軌道側に近づく方向に偏向させることにより、前記複数のレンズ部を通過したビームの軌道が基準軌道と平行になるように調整するよう構成されていることを特徴とする請求項２４に記載の高エネルギーイオン注入装置。
【請求項２６】
基準軌道に対し平行化されたビームを生成するように複数の弓形状湾曲ギャップのそれぞれに電場を印加することと、
前記複数の弓形状湾曲ギャップのうち一の弓形状湾曲ギャップと当該弓形状湾曲ギャップに隣接する弓形状湾曲ギャップとの間に形成される空間部を通じて前記基準軌道を含む内側領域の真空排気をすることと、を備え、
前記空間部は、前記平行化されたビームの前記基準軌道に垂直な断面における短手方向に向けられていることを特徴とするビーム平行化方法。
【発明の詳細な説明】
【技術分野】
【０００１】
本発明は、高エネルギーイオン注入装置に関する。
【背景技術】
【０００２】
半導体素子製造工程では、真空中で半導体ウェハにイオンを打ち込んで半導体ウェハの結晶に不純物を添加することにより導電性を変化させ、半導体ウェハを半導体素子化させるための重要な工程が標準的に実施されている。この工程で使用される装置は、一般に半導体素子化させるための不純物原子をイオンとして加速して、半導体ウェハに打ち込むイオン注入装置と呼ばれる。
【０００３】
半導体素子の高集積化・高性能化に伴い、より深く半導体ウェハに打ち込むための高エネルギーのイオン注入が可能な装置が従来利用されてきた。このような装置は、特に高エネルギーイオン注入装置と呼ばれている。その一例として、イオンビームの加速系をタンデム型静電加速器で構成する方法がある（特許文献１参照）。
【０００４】
（バッチ式）
また、高周波加速を行う高周波線形加速器を備えたバッチ処理式高エネルギーイオン注入装置も長年使用されてきた（特許文献２参照）。
【０００５】
バッチ処理式のイオン注入は、十数枚のシリコンウェハを直径１ｍ程度のアルミディスクの外周側に乗せ、ディスクを毎分１０００回転程度で高速回転させながら、イオンを均一に注入する手法である。遠心力によってウェハが飛び出さないように、ディスクのウェハを乗せる部分には、回転面（回転軸に直交する面）に対して５°程度の角度が付けられている。この角度と、ウェハの回転運動とによって、ウェハの中心部と端部とで、注入角度（イオンがウェハに入射する角度）が、１°前後異なる（注入角度偏差）問題を、バッチ処理式のイオン注入方法は持っている。
【０００６】
一般に、ウェハ上のダイには、イオン注入を行いたい領域と行ってはいけない領域があり、行ってはいけない領域は、フォトレジストと呼ばれる有機物で覆われている。注入時にイオンはフォトレジストを突き抜けてはいけないため、高エネルギーイオン注入時に塗布されるフォトレジストは、非常に厚くなる。注入が必要な領域は、リソグラフィーによって、フォトレジストが除かれているが、集積度が高く、注入領域が微小であると、そそり立つフォトレジストの壁に囲まれた深い穴の底に垂直にイオンを打ち込むような状況になる。このようなアスペクト比の高い構造へのイオン注入には、高い注入角度精度が要求される。
【０００７】
特に、ＣＣＤなど、高品位の撮像素子の製造では、深くイオン注入するほど解像度が上がり、感度が高くなるため、超高エネルギーのイオン注入（３〜８ＭｅＶ）も行われるようになってきた。この場合、許される注入角度誤差は、０．１°程度であり、大きな注入角度偏差のあるバッチ式装置は、使えなくなっている。
【０００８】
（枚葉式高エネルギーイオン注入装置）
そこで、近年、枚葉式高エネルギーイオン注入装置が実用化された（特許文献３）。バッチ方式が、ビームを固定してウェハを動かすこと（ディスク上の回転移動）によって、水平方向に均一な注入を行っているのに対して、枚葉式装置では、ビームを動かして（水平方向にビームスキャンして）ウェハを固定している。この方式では、スキャンビームを平行化することによって、ウェハ面内で注入ドーズを均一にするだけでなく、注入角度も均一にすることができ、注入角度偏差の問題を解消できる。なお、鉛直方向のドーズ均一性は、両方式ともウェハを一定速度で平行移動させることによって実現しているが、この運動によっては、角度誤差は発生しない。
【０００９】
この他にも、枚葉式イオン注入装置は、少数枚数の処理を行う際に無駄なシリコンウェハの消費がないなどの理由から、多品種少量生産に適しており、近年需要が増大している。
【００１０】
ただし、高品位撮像素子の生産では、角度精度だけでなく、金属汚染がないこと、注入ダメージ（アニール後の残留結晶欠陥）が少ないこと、注入深さ精度（エネルギー精度）が良いことなど、厳しい要求が多々あり、枚葉式イオン注入装置にも、改善すべき点が多数残されている。
【００１１】
従来の枚葉式高エネルギーイオン注入装置では、高エネルギー加速方式として、タンデム式静電加速装置、または、高周波加速方式の重イオンリナック（線形加速器）が用いられている。
【００１２】
このような加速系の下流（ビームラインの下流）には、エネルギーフィルタリングマグネット、ビームスキャナー、磁場によるスキャン軌道の平行化を行うパラレル（平行化）マグネットが設けられている。そして、パラレルマグネットによって、ビームがどのスキャン位置にあっても、ウェハへの入射角（注入角）は同じになるようにされている。イオンのエネルギーは、３〜４ＭｅＶ程度までである。
【００１３】
また、高エネルギーイオン注入装置よりも低いエネルギー領域（１０〜６００ｋｅＶ）で使用される（枚葉式）中電流イオン注入装置の一部では、電場（電極）によってスキャン軌道を平行化する電場パラレルレンズが使われている（特許文献４）。電場パラレルレンズは、軌道の対称性を保ちながらスキャン軌道を平行化できるので、パラレルマグネットより角度精度を上げられる。また、この装置には、ＡＥＦ（Angular Energy Filter）と呼ばれる電場式偏向電極が、ウェハの近傍に取り付けられている。ＡＥＦによって、ビーム輸送中に価数変化したイオンやビームラインで発生したパーティクルが除去されるので、純度の高いビームを供給することができる。
【先行技術文献】
【特許文献】
【００１４】
【特許文献１】特許第３３７４３３５号公報
【特許文献２】特開２０００−１１９４４号公報
【特許文献３】米国特許第８０３５０８０号公報
【特許文献４】特開２００３−２８８８５７号公報
【発明の概要】
【発明が解決しようとする課題】
【００１５】
本発明はこうした状況に鑑みてなされたものであり、本発明のある態様の例示的な目的の一つは、高エネルギーイオン注入装置に適するビーム平行化器を提供することにある。
【課題を解決するための手段】
【００１６】
本発明のある態様によると、基準軌道に対し平行化されたビームを前記ビーム平行化器の出口に生成するように、前記基準軌道に沿って配列されている複数の加速または減速レンズ部と、前記複数のレンズ部を囲む真空容器と、を備えるイオン注入装置のビーム平行化器が提供される。前記複数のレンズ部の各々は、少なくとも２つの電極から構成される弓形状湾曲ギャップを形成し、前記弓形状湾曲ギャップに印加される電場により前記基準軌道に対しビーム進行方向のなす角度を変えるよう構成されている。前記複数のレンズ部のうち一のレンズ部の一方の電極と当該レンズ部に隣接するレンズ部の他方の電極を同電位に構成するとともに、空間部が前記複数のレンズ部のうち一のレンズ部と当該レンズ部に隣接するレンズ部との間に設けられている。前記空間部は、前記基準軌道上のビーム平行化平面と垂直に交差する方向に向けられている。前記基準軌道を含む内側領域が、前記真空容器と前記複数のレンズ部の間となる外側領域へと前記空間部を通じて連通されている。
【００１７】
本発明のある態様によると、基準軌道に対し平行化されたビームを前記ビーム平行化器の出口に生成する少なくとも１つのレンズ部を備えるイオン注入装置のビーム平行化器が提供される。前記少なくとも１つのレンズ部の各々は、弓形状湾曲ギャップを形成する一対の電極部材を備え、前記弓形状湾曲ギャップに印加される電場により前記基準軌道に対しビーム進行方向のなす角度を変えるよう構成されている。前記一対の電極部材の各々は、複数の弓形状に湾曲した電極片を備える。
【００１８】
本発明のある態様によると、基準軌道に対し平行化されたビームを前記ビーム平行化器の出口に生成する少なくとも１つのレンズ部と、前記少なくとも１つのレンズ部を囲み、前記基準軌道の一方側と他方側とにそれぞれ容器壁を備える真空容器と、を備えるイオン注入装置のビーム平行化器が提供される。前記少なくとも１つのレンズ部の各々は、弓形状湾曲ギャップを形成する一対の電極部材を備え、前記弓形状湾曲ギャップに印加される電場により前記基準軌道に対しビーム進行方向のなす角度を変えるよう構成されている。前記一対の電極部材の各々は、前記基準軌道を挟んで離間配置される一組の電極片を備える。前記一組の電極片の一部は前記基準軌道の一方側の前記容器壁に支持されている。前記一組の電極片の他の一部は前記基準軌道の他方側の前記容器壁に支持されている。
【００１９】
本発明のある態様によると、上述のいずれかのビーム平行化器を備えるビーム輸送ラインユニットと、イオンビームを生成するイオンビーム生成ユニットと、前記イオンビームを加速する高エネルギー多段直線加速ユニットと、高エネルギーに加速されたイオンビームを前記ビーム輸送ラインユニットへと方向変換する偏向ユニットと、を備える高エネルギーイオン注入装置が提供される。
【００２０】
本発明のある態様によると、基準軌道に対し平行化されたビームを生成するように複数の弓形状湾曲ギャップのそれぞれに電場を印加することと、前記複数の弓形状湾曲ギャップのうち一の弓形状湾曲ギャップと当該弓形状湾曲ギャップに隣接する弓形状湾曲ギャップとの間に形成される空間部を通じて前記基準軌道を含む内側領域の真空排気をすることと、を備えるビーム平行化方法が提供される。前記空間部は、前記平行化されたビームの前記基準軌道に垂直な断面における短手方向に向けられている。
【００２１】
なお、以上の構成要素の任意の組合せや本発明の構成要素や表現を、方法、装置、システムなどの間で相互に置換したものもまた、本発明の態様として有効である。
【発明の効果】
【００２２】
本発明のある態様によれば、高エネルギーイオン注入装置に適するビーム平行化器を提供することができる。
【図面の簡単な説明】
【００２３】
【図１】本実施の形態に係る高エネルギーイオン注入装置の概略レイアウトとビームラインを模式的に示した図である。
【図２】図２（ａ）は、イオンビーム生成ユニットの概略構成を示す平面図、図２（ｂ）は、イオンビーム生成ユニットの概略構成を示す側面図である。
【図３】高エネルギー多段直線加速ユニットの概略構成を含む全体レイアウトを示す平面図である。
【図４】複数の高周波共振器先端の加速電場（ギャップ）を直線状に並べた高エネルギー多段直線加速ユニット及び収束発散レンズの制御系の構成を示すブロック図である。
【図５】図５（ａ）、図５（ｂ）は、ＥＦＭ（エネルギー分析用偏向電磁石）、エネルギー幅制限スリット、エネルギー分析スリット、ＢＭ（横方向中心軌道補正用偏向電磁石）、ビーム整形器、ビーム走査器（スキャナー）の概略構成を示す平面図である。
【図６】図６（ａ）は、ビーム走査器からビーム平行化器以降のビームラインから基板処理供給ユニットまでの概略構成を示す平面図、図６（ｂ）は、ビーム走査器からビーム平行化器以降のビームラインから基板処理供給ユニットまでの概略構成を示す側面図である。
【図７】ビーム走査器の一例の主要部を上方から見た模式図である。
【図８】ビーム走査器の一例の主要部を側方から見た模式図である。
【図９】ビーム走査器の一例をイオンビームラインの途中経路に着脱自在に装着した構造を下流側から見た正面模式図である。
【図１０】角度エネルギーフィルターの偏向電極の他の態様を示す模式図である。
【図１１】図１１（ａ）は、横収束レンズである四重極レンズを模式的に示す平面図、図１１（ｂ）は、四重極レンズを模式的に示す正面図である。
【図１２】図１２（ａ）、図１２（ｂ）は、電磁石の構成の一例を示す斜視図である。
【図１３】電磁石が備える開閉装置を模式的に示した図である。
【図１４】図１４（ａ）は、インジェクターファラデーカップとほぼ同じ構成のリゾルバーファラデーカップを正面から見た模式図、図１４（ｂ）は、リゾルバーファラデーカップの動作を説明するための模式図である。
【図１５】横長ファラデーカップを正面から見た模式図である。
【図１６】本実施の形態のある態様のビーム平行化器の概略構成を示す上面図である。
【図１７】図１７（ａ）は、本実施の形態のある態様のビーム平行化器の略構成を示す上面図、図１７（ｂ）は、本実施の形態のある態様のビーム平行化器の概略構成を示す側面図である。
【図１８】本実施の形態の変形例に係るビーム平行化器の略構成を示す上面図である。
【図１９】本発明のある実施形態に係るビーム平行化器の構成を概略的に示す図である。
【図２０−１】本発明のある実施形態に係るビーム平行化器の構成を概略的に示す図である。
【図２０−２】本発明のある実施形態に係るビーム平行化器の構成を概略的に示す図である。
【図２０−３】本発明のある実施形態に係るビーム平行化器の構成を概略的に示す図である。
【図２１】本発明のある実施形態に係るビーム平行化器の構成を概略的に示す図である。
【図２２】本発明のある実施形態に係るビーム平行化器の構成を概略的に示す図である。
【図２３】本発明のある実施形態に係るビーム平行化器の案内部の構成を概略的に示す図である。
【図２４】本発明のある実施形態に係るビーム平行化器の電極部材の構成を概略的に示す図である。
【図２５】本発明のある実施形態に係るビーム平行化器の電極部材の構成を概略的に示す図である。
【発明を実施するための形態】
【００２４】
以下、本実施の形態に係る高エネルギーイオン注入装置の一例についてより詳細に説明する。はじめに、本願発明者らが本願発明に想到した経緯について説明する。
【００２５】
（平行化マグネット）
偏向磁場によって軌道を平行化する平行化マグネットを使用している従来の高エネルギーイオン注入装置には、次のような課題がある。
【００２６】
フォトレジスト付きウェハに高エネルギーイオンを注入すると、大量のアウトガスが発生し、このアウトガスの分子とビームイオンとが相互作用し、一部のイオンの価数が変化する。平行化マグネット通過中にこの価数変化が起こると、偏向角が変わるので、ビームの平行性が崩れ、ウェハへの注入角が一様ではなくなる。
【００２７】
また、注入されるイオンの量（個数またはドーズ）は、ウェハ付近に置かれたファラデーカップで、ビーム電流値を測定することによって求められるが、価数変化によってその計測値が狂い、予定の注入量から外れ、半導体素子の特性が予定された通りにならない。
【００２８】
さらに、１台の平行化マグネットによる平行化は、内側の軌道と外側の軌道で、偏向角と軌道長が異なるため、外側の軌道ほど価数変化するイオンの割合が増え、ウェハ面内のドーズ均一性も悪化する。
【００２９】
したがって、従来の高エネルギーイオン注入装置のビーム輸送方式では、最近の高精度注入への要求に十分応えることができない。
【００３０】
また、平行化マグネットは、スキャン方向に幅の広い磁極と、ある程度長い平行化区間とを必要とし、エネルギーが高くなるとさらに磁極が長く大きくなるので、重量が非常に大きくなる。装置を安全に据え付けし維持するために、半導体工場自体の強度設計を強化する必要が出てくる上に、消費電力も非常に大きくなる。
【００３１】
これらの問題は、前述の中電流イオン注入装置で用いられている電場平行化レンズと、電場（電極式）エネルギーフィルター（ＡＥＦ：Angular Energy Filter）を高エネルギー領域で使うことができれば、解消する。電場平行化レンズは、軌道の対称性を保ちながらスキャン軌道を中心軌道方向に揃えて平行化し、ＡＥＦは、ウェハ直前で価数変化したイオンを除去する。これによって、アウトガスが多いときでも、エネルギーコンタミネーションのないビームを得ることができ、平行化マグネットのようなスキャン方向の注入角度のバラツキも発生せず、結果として、正確な深さ方向の注入分布と注入量（ドーズ）を均一に注入できるとともに、注入角度も一様になって、非常に精度の高いイオン注入が実現する。また、軽量な電極部材で構成され、電磁石と比べて、消費電力も少なくできる。
【００３２】
本発明の核心は、この中電流イオン注入装置の優れたシステムを高エネルギーイオン注入装置に導入し、高エネルギー装置でありながら中電流装置と同等の高精度注入ができる装置を生み出した点にある。その過程で解決されてきた課題について以下で述べる。第一に問題になるのは、装置の長さである。
【００３３】
イオンビームを同じ角度偏向する場合、必要な磁場はエネルギーの平方根に比例するのに対して、必要な電場はエネルギーそのものに比例する。したがって、偏向磁極の長さはエネルギーの平方根に比例するのに対して、偏向電極の長さはエネルギーに比例して長くなる。高エネルギーイオン注入装置に前記の電場平行化レンズと電場ＡＥＦを搭載して、高精度角度注入を実現しようとすると、ビーム輸送系（スキャナーからウェハまでの距離）が、平行化マグネットを使う従来の装置に比べて、大幅に長くなる。
【００３４】
例えば、このような電場による平行化機構を備える高エネルギーイオン注入装置として、従来の高エネルギーイオン注入装置と同様に、イオン源、質量分析磁石、タンデム型静電加速装置若しくは高周波線形加速装置、ビーム走査器、スキャン軌道平行化装置、エネルギーフィルター、注入処理室および基板搬送機器（エンドステーション）等の構成機器を、ほぼ直線状に据え付ける構造が考えられる。この場合、従来の装置の長さが８ｍ程度であるのに対して、装置の全長が２０ｍ程度まで長くなり、設置場所の設定と準備、設置作業等が大がかりとなって、しかも設置面積も大きくなる。また、各機器の据付けアライメントの調整、装置稼働後のメンテナンスや修理、調整のための作業スペースも必要である。このような大がかりなイオン注入装置は、半導体製造ラインにおける装置サイズを、工場の製造ラインの配置の実状に合わせることへの要求を満たすことができない。
【００３５】
このような状況から、本発明のある態様におけるビームライン構成の目的は、十分な作業領域を確保しつつ設置場所の設定と準備、設置作業やメンテナンス作業を簡略化・効率化し、設置面積を抑える技術を実現することによって、電場平行化レンズと電場エネルギーフィルターとを備えた高精度の高エネルギーイオン注入装置を提供することである。
【００３６】
（Ｕ字状の折り返し型ビームライン）
前記目的は、高エネルギーイオン注入装置のビームラインを、イオン源で生成したイオンビームを加速する複数のユニットから成る長直線部と、スキャンビームを調整してウェハに注入する複数のユニットから成る長直線部とで構成し、対向する長直線部を有する水平のＵ字状の折り返し型ビームラインにすることによって達成できる。このようなレイアウトは、イオン源からイオンを加速するユニットの長さに合わせて、ビーム走査器、ビーム平行化器、エネルギーフィルターなどから成るビーム輸送ユニットの長さをほぼ同じ長さに構成することで実現している。そして、二本の長直線部の間に、メンテナンス作業のために十分な広さのスペースを設けている。
【００３７】
本発明のある態様は、こうしたビームラインのレイアウトを前提としてなされたものであり、その目的は、スキャンされた高エネルギーのイオンビームを電場によって左右対称に平行化し、アウトガスの多い環境でも精度良くイオン注入できる高エネルギーイオン注入装置を提供することである。
【００３８】
本発明のある態様の高エネルギーイオン注入装置は、イオン源で発生したイオンを加速してイオンビームを生成し、ビームラインに沿ってウェハまでイオンビームを輸送し、該ウェハにイオン注入する高エネルギーイオン注入装置であって、イオン源と質量分析装置を有するビーム生成ユニットと、イオンビームを加速して高エネルギーイオンビームを生成する高エネルギー多段直線加速ユニットと高エネルギーイオンビームをウェハに向けて方向変換する高エネルギービームの偏向ユニットと、偏向された高エネルギーイオンビームをウェハまで輸送する高エネルギービーム輸送ラインユニットと、輸送された高エネルギーイオンビームを均一に半導体ウェハに注入する基板処理供給ユニットと、を備える。ビーム輸送ラインユニットは、ビーム整形器と、高エネルギー用のビーム走査器と、高エネルギー用のビーム平行化器と、高エネルギー用の最終エネルギーフィルターとを有し、前記偏向ユニットを出た高エネルギーイオンビームを、ビーム走査器によりビームラインの基準軌道の両側にスキャンし、ビーム平行化器により左右対称性を維持したままスキャンビームの各軌道を基準軌道と平行化し、最終エネルギーフィルターにより、質量、イオン価数、エネルギー等が異なる混入イオンを取り除いて前記ウェハに注入するように構成されている。高エネルギー用のビーム平行化器は、イオンビームを加速させるとともに基準軌道側に近づく方向に偏向させる加速用電極対と、イオンビームを減速させるとともに基準軌道側に近づく方向に偏向させる減速用電極対とを備え、該加速用電極対および該減速用電極対を少なくとも２組以上有する加速減速電極レンズ群から構成されている。
【００３９】
本発明のある態様によれば、スキャンされた高エネルギーのイオンビームを左右対称に平行化することができる。これによって、アウトガスが多い状態でも、注入量（ドーズ）を均一に注入できるとともに、注入角度も一様に注入でき、精度の高いイオン注入が実現する。また、軽量な電極部材で構成され、電磁石と比べて、消費電力も少なくできる。
【００４０】
そこで、本実施の形態のある態様の高エネルギーイオン注入装置は、イオン源で発生したイオンを加速し、ビームラインに沿ってウェハまでイオンビームとして輸送し、ウェハに注入するイオン注入装置である。この装置は、イオンビームを加速して高エネルギーイオンビームを生成する高エネルギー多段直線加速ユニットと、高エネルギーイオンビームの軌道をウェハに向かって方向転換する偏向ユニットと、偏向された高エネルギーイオンビームをウェハまで輸送するビーム輸送ラインユニットとを備え、平行化したイオンビームをメカニカルに走査移動中のウェハに高精度に照射して、ウェハに注入するものである。
【００４１】
イオンビームを高加速する高周波（交流方式）の高エネルギー多段直線加速ユニットを出た高エネルギーイオンビームは、ある範囲のエネルギー分布を持っている。このため、後段の高エネルギーのイオンビームをビームスキャンおよびビーム平行化させてメカニカルに走査移動中のウェハに照射するためには、事前に高い精度のエネルギー分析と、中心軌道補正、及びビーム収束発散の調整を実施しておくことが必要となる。
【００４２】
ビーム偏向ユニットは、少なくとも二つの高精度偏向電磁石と少なくとも一つのエネルギー幅制限スリットとエネルギー分析スリット、及び、少なくとも一つの横収束機器とを備える。複数の偏向電磁石は、高エネルギーイオンビームのエネルギー分析とイオン注入角度の精密な補正、及び、エネルギー分散の抑制とを行うよう構成されている。高精度偏向電磁石のうちエネルギー分析を行う電磁石には、核磁気共鳴プローブとホールプローブが取り付けられており、他の電磁石にはホールプローブのみ取り付けられている。核磁気共鳴プローブは、ホールプローブの校正に使用され、ホールプローブは、磁場一定のフィードバック制御に使用される。
【００４３】
ビーム輸送ラインユニットは、高エネルギーのイオンビームをビームスキャンおよびビーム平行化させて、メカニカルに走査移動中のウェハに高精度にスキャンビームを照射して、イオンを注入することができる。
【００４４】
以下、本実施の形態に係る高エネルギーイオン注入装置の一例について、図面を参照しながら、より詳細に説明する。なお、図面の説明において同一の要素には同一の符号を付し、重複する説明を適宜省略する。また、以下に述べる構成は例示であり、本発明の範囲を何ら限定するものではない。
【００４５】
（高エネルギーイオン注入装置）
はじめに、本実施の形態に係る高エネルギーイオン注入装置の構成を簡単に説明する。なお、本明細書の内容は、荷電粒子の種類の一つであるイオンビームのみならず荷電粒子ビーム全般にかかる装置にも適用できるものである。
【００４６】
図１は、本実施の形態に係る高エネルギーイオン注入装置１００の概略レイアウトとビームラインを模式的に示した図である。
【００４７】
本実施の形態に係る高エネルギーイオン注入装置１００は、高周波線形加速方式のイオン加速器と高エネルギーイオン輸送用ビームラインを有するイオン注入装置であり、イオン源１０で発生したイオンを加速し、ビームラインに沿ってウェハ（基板）２００までイオンビームとして輸送し、ウェハ２００に注入する。
【００４８】
図１に示すように、高エネルギーイオン注入装置１００は、イオンを生成して質量分離するイオンビーム生成ユニット１２と、イオンビームを加速して高エネルギーイオンビームにする高エネルギー多段直線加速ユニット１４と、高エネルギーイオンビームのエネルギー分析、中心軌道補正、エネルギー分散の制御を行うビーム偏向ユニット１６と、分析された高エネルギーイオンビームをウェハまで輸送するビーム輸送ラインユニット１８と、輸送された高エネルギーイオンビームを均一に半導体ウェハに注入する基板処理供給ユニット２０とを備える。
【００４９】
イオンビーム生成ユニット１２は、イオン源１０と、引き出し電極４０と、質量分析装置２２と、を有する。イオンビーム生成ユニット１２では、イオン源１０から引き出し電極を通してビームが引き出されると同時に加速され、引き出し加速されたビームは質量分析装置２２により質量分析される。質量分析装置２２は、質量分析磁石２２ａ、質量分析スリット２２ｂを有している。質量分析スリット２２ｂは、質量分析磁石２２ａの直後に配置する場合もあるが、実施例では、その次の構成である高エネルギー多段直線加速ユニット１４の入り口部内に配置している。
【００５０】
質量分析装置２２による質量分析の結果、注入に必要なイオン種だけが選別され、選別されたイオン種のイオンビームは、次の高エネルギー多段直線加速ユニット１４に導かれる。高エネルギー多段直線加速ユニット１４により、さらに加速されたイオンビームは、ビーム偏向ユニット１６により方向が変化させられる。
【００５１】
ビーム偏向ユニット１６は、エネルギー分析電磁石２４と、エネルギー分散を抑制する横収束四重極レンズ２６と、エネルギー幅制限スリット２７（後述する図５参照）と、エネルギー分析スリット２８と、ステアリング機能を持つ偏向電磁石３０とを有する。なお、エネルギー分析電磁石２４は、エネルギーフィルター電磁石（ＥＦＭ）と呼ばれることもある。高エネルギーイオンビームは、偏向ユニットによって方向転換され、基板ウェハの方向へ向かう。
【００５２】
ビーム輸送ラインユニット１８は、ビーム偏向ユニット１６から出たイオンビームを輸送するものであり、収束／発散レンズ群から構成されるビーム整形器３２と、ビーム走査器３４と、ビーム平行化器３６と、最終エネルギーフィルター３８（最終エネルギー分離スリットを含む）とを有する。ビーム輸送ラインユニット１８の長さは、イオンビーム生成ユニット１２と高エネルギー多段直線加速ユニット１４との長さに合わせて設計されており、ビーム偏向ユニット１６で結ばれて、全体でＵ字状のレイアウトを形成する。
【００５３】
ビーム輸送ラインユニット１８の下流側の終端には、基板処理供給ユニット２０が設けられており、注入処理室の中に、イオンビームのビーム電流、位置、注入角度、収束発散角、上下左右方向のイオン分布等を計測するビームモニター、イオンビームによる基板の帯電を防止する帯電防止装置、ウェハ（基板）２００を搬入搬出し適正な位置・角度に設置するウェハ搬送機構、イオン注入中ウェハを保持するＥＳＣ（Electro Static Chuck）、注入中ビーム電流の変動に応じた速度でウェハをビームスキャン方向と直角方向に動かすウェハスキャン機構が収納されている。
【００５４】
このように各ユニットをＵ字状に配置した高エネルギーイオン注入装置１００は、設置面積を抑えつつ良好な作業性が確保されている。また、高エネルギーイオン注入装置１００においては、各ユニットや各装置をモジュール構成とすることで、ビームライン基準位置に合わせて着脱、組み付けが可能となっている。
【００５５】
次に、高エネルギーイオン注入装置１００を構成する各ユニット、各装置について更に詳述する。
【００５６】
（イオンビーム生成ユニット）
図２（ａ）は、イオンビーム生成ユニットの概略構成を示す平面図、図２（ｂ）は、イオンビーム生成ユニットの概略構成を示す側面図である。
【００５７】
図２（ａ）、図２（ｂ）に示すように、ビームラインの最上流に配置されているイオン源１０の出口側には、イオンチャンバ（アークチャンバー）内で生成されたプラズマからイオンビームを引き出す引き出し電極４０が設けられている。引き出し電極４０の下流側近傍には、引き出し電極４０から引き出されたイオンビーム中に含まれる電子が引き出し電極４０に向かって逆流するのを抑制する引き出しサプレッション電極４２が設けられている。
【００５８】
イオン源１０は、イオン源高圧電源４４と接続されている。引き出し電極４０とターミナル４８との間には、引き出し電源５０が接続されている。引き出し電極４０の下流側には、入射するイオンビームから所定のイオンを分離し、分離したイオンビームを取り出すための質量分析装置２２が配置されている。
【００５９】
後述する図５に示すように、高エネルギー多段直線加速ユニット１４の直線加速部ハウジング内の最前部に、イオンビームの総ビーム電流値を計測するためのファラデーカップ８０ａ（インジェクター）が配置されている。
【００６０】
図１４（ａ）は、インジェクターファラデーカップ８０ａとほぼ同じ構成のリゾルバーファラデーカップ８０ｂを正面から見た模式図、図１４（ｂ）は、リゾルバーファラデーカップ８０ｂの動作を説明するための模式図である。
【００６１】
インジェクターファラデーカップ８０ａは、駆動機構によりビームライン上に上下方向から出し入れ可能に構成され、また、水平方向に長い長方形の枡状形状で、開口部分をビームライン上流側に向けて構成されており、イオン源や質量分析電磁石の調整時に、イオンビームの総ビーム電流を計測する目的の他、ビームライン下流に到達するイオンビームを必要に応じてビームライン上で完全に遮断するために用いられる。さらに、インジェクターファラデーカップ８０ａの直前の高エネルギー多段直線加速ユニット１４の入り口部内には、前述の通り、質量分析スリット２２ｂが配置されており、単一の質量分析スリット、あるいは、質量の大きさにより、幅の異なる多数スリットの選択方式、または質量スリット幅を無段階または多段に変更できる方式の構成としている。
【００６２】
（高エネルギー多段直線加速ユニット）
図３は、高エネルギー多段直線加速ユニット１４の概略構成を含む全体レイアウトを示す平面図である。高エネルギー多段直線加速ユニット１４は、イオンビームの加速を行う複数の線形加速装置、すなわち、一つ以上の高周波共振器１４ａを挟む加速ギャップを備えている。高エネルギー多段直線加速ユニット１４は、高周波（ＲＦ）電場の作用により、イオンを加速することができる。図３において、高エネルギー多段直線加速ユニット１４は、高エネルギーイオン注入用の基本的な複数段の高周波共振器１４ａを備えた第１線形加速器１５ａと、さらに、超高エネルギーイオン注入用の追加の複数段の高周波共振器１４ａを備えた第２線形加速器１５ｂとから構成されている。
【００６３】
一方、高周波（ＲＦ）加速を用いたイオン注入装置においては、高周波のパラメータとして電圧の振幅Ｖ[ｋＶ]、周波数ｆ［Ｈｚ］を考慮しなければならない。更に、複数段の高周波加速を行う場合には、お互いの高周波の位相φ［ｄｅｇ］がパラメータとして加わる。加えて、加速の途中や加速後にイオンビームの上下左右への広がりを収束・発散効果によって制御するための磁場レンズ（例えば、四極電磁石）や電場レンズ（例えば、電場四極電極）が必要であり、それらの運転パラメータは、そこを通過する時点でのイオンのエネルギーによって最適値が変わることに加え、加速電界の強度が収束・発散に影響を及ぼすため、高周波のパラメータを決めた後にそれらの値を決めることになる。
【００６４】
図４は、複数の高周波共振器先端の加速電場（ギャップ）を直線状に並べた高エネルギー多段直線加速ユニット及び収束発散レンズの制御系の構成を示すブロック図である。
【００６５】
高エネルギー多段直線加速ユニット１４には一つ以上の高周波共振器１４ａが含まれている。高エネルギー多段直線加速ユニット１４の制御に必要な構成要素としては、オペレータが必要な条件を入力するための入力装置５２、入力された条件から各種パラメータを数値計算し、更に各構成要素を制御するための制御演算装置５４、高周波の電圧振幅を調整するための振幅制御装置５６、高周波の位相を調整するための位相制御装置５８、高周波の周波数を制御するための周波数制御装置６０、高周波電源６２、収束発散レンズ６４のための収束発散レンズ電源６６、運転パラメータを表示するための表示装置６８、決定されたパラメータを記憶しておくための記憶装置７０が必要である。また、制御演算装置５４には、あらかじめ各種パラメータを数値計算するための数値計算コード（プログラム）が内蔵されている。
【００６６】
高周波線形加速器の制御演算装置５４では、内蔵している数値計算コードによって、入力された条件を基にイオンビームの加速並びに収束・発散をシミュレーションし、最適な輸送効率が得られるよう高周波パラメータ（電圧振幅、周波数、位相）を算出する。また同時に、効率的にイオンビームを輸送するための収束発散レンズ６４のパラメータ（Ｑコイル電流、またはＱ電極電圧）も算出する。計算された各種パラメータは、表示装置６８に表示される。高エネルギー多段直線加速ユニット１４の能力を超えた加速条件に対しては、解がないことを意味する表示が表示装置６８に表示される。
【００６７】
電圧振幅パラメータは、制御演算装置５４から振幅制御装置５６に送られ、振幅制御装置５６が、高周波電源６２の振幅を調整する。位相パラメータは、位相制御装置５８に送られ、位相制御装置５８が、高周波電源６２の位相を調整する。周波数パラメータは、周波数制御装置６０に送られる。周波数制御装置６０は、高周波電源６２の出力周波数を制御するとともに、高エネルギー多段直線加速ユニット１４の高周波共振器１４ａの共振周波数を制御する。制御演算装置５４はまた、算出された収束発散レンズパラメータにより、収束発散レンズ電源６６を制御する。
【００６８】
イオンビームを効率的に輸送するための収束発散レンズ６４は、高周波線形加速器の内部あるいはその前後に、必要な数が配置される。すなわち、複数段の高周波共振器１４ａの先端の加速ギャップの前後には交互に発散レンズまたは収束レンズが備えられている、その一方で、第２線形加速器１５ｂの終端の横収束レンズ６４ａ（図５参照）の後方には追加の縦収束レンズ６４ｂ（図５参照）が配置され、高エネルギー多段直線加速ユニット１４を通過する高エネルギー加速イオンビームの収束と発散を調整して、後段のビーム偏向ユニット１６に最適な二次元ビームプロファイルのイオンビームを入射させるようにしている。
【００６９】
高周波線形加速器の加速ギャップに生じる電界の方向は、イオンを加速する方向と減速する方向が数十ナノ秒毎に切り替わる。イオンビームを高エネルギーまで加速するためには、数十か所ある加速ギャップの全てで、イオンが加速ギャップに入ったとき、電界は加速方向を向いていなければならない。ある加速ギャップで加速されたイオンは、次の加速ギャップの電界が加速方向を向くまでの間に、二つの加速ギャップの間の電界がシールドされた空間（ドリフトスペース）を通過しなければならない。速すぎても遅すぎても減速されるので、高エネルギーに到達できない。全加速ギャップで加速位相に乗るのは、非常に厳しい条件になるため、予定エネルギーに達するということは、高周波線形加速器による、質量、エネルギー、電荷（速度を決める要因）に対する厳しい選別をくぐり抜けたことになる。その意味で、高周波線形加速器は良い速度フィルターでもある。
【００７０】
（ビーム偏向ユニット）
図１に示すように、ビーム偏向ユニット１６は、エネルギーフィルター偏向電磁石（ＥＦＭ）であるエネルギー分析電磁石２４と、エネルギー幅制限スリット２７（図５参照）と、エネルギー分析スリット２８と、偏向後のエネルギー分散を制御する横収束四重極レンズ２６と、注入角度補正機能を有する偏向電磁石３０を含む。
【００７１】
図５（ａ）、図５（ｂ）は、ＥＦＭ（エネルギー分析用偏向電磁石）、エネルギー幅制限スリット、エネルギー分析スリット、ＢＭ（横方向中心軌道補正用偏向電磁石）、ビーム整形器、ビーム走査器（スキャナー）の概略構成を示す平面図である。なお、図５（ａ）に示す符号Ｌは、イオンビームの中心軌道を示している。
【００７２】
高エネルギー多段直線加速ユニット１４通過後のイオンビームは、シンクロトロン振動によってエネルギー分布ができてしまう。また、加速位相の調整量が大きいときに、中心値が予定のエネルギーからややずれたビームが高エネルギー多段直線加速ユニット１４から出てくることがある。そこで、後述のビーム偏向ユニット１６により所望のエネルギーのイオンのみが通過できるように、エネルギーフィルター偏向磁石（ＥＦＭ）の磁場を設定して、エネルギー幅制限スリット２７とエネルギー分析スリット２８により、ビームの一部を選択的に通過させ、イオンのエネルギーを設定値に揃える。通過できるイオンビームのエネルギー幅はエネルギー幅制限スリットと分析スリットの開口横幅によってあらかじめ設定できる。エネルギー分析スリットを通過したイオンのみが後段のビームラインに導かれ、ウェハに注入される。
【００７３】
エネルギー分布を持ったイオンビームが、前述したフィードバックループ制御系で磁場を一定値に制御されたエネルギーフィルター電磁石（ＥＦＭ）に入射すると、入射イオンビーム全体が設計軌道に沿って偏向されながらエネルギー分散を起こし、所望のエネルギー幅の範囲にあるイオンが、ＥＦＭ出口付近に設置されたエネルギー幅制限スリット２７を通過する。この位置では、エネルギー分散は極大値に向かって増加中であり、エミッタンスによるビームサイズσ１（エネルギー幅がないときのビームサイズ）は、極小値に向かって減少中であるが、エネルギー分散によるビーム幅がエミッタンスによるビーム幅より大きくなっている。このような状態のイオンビームをスリットで切る場合、空間的な分布はシャープに切られるが、エネルギー分布は２σ１に対応するエネルギー幅でなまらされた切り口になる。言い換えると、例えば、スリット幅を、３％のエネルギー幅に対応する寸法に設定したとしても、予定注入エネルギーとのエネルギー差が３％より小さいイオンの一部はスリットの壁に当たって失われ、逆にエネルギー差が３％より大きいイオンの一部は、スリットを通過してしまう。
【００７４】
エネルギー分析スリットは、σ１が極小になる位置に設置する。この位置では、σ１はスリット幅に比べて無視できるほど小さくなるので、エネルギー分布も空間分布とほとんど同じくシャープに切断される。例えば、エネルギー分析スリットの開口幅もエネルギー幅３％に相当する寸法（０．０３η）に設定した場合、エネルギー幅制限スリットを通過できたエネルギー差が３％を超えるイオンは、全てここで阻止される。この結果、最初矩形のエネルギー分布だったビームが二枚のスリットを通過した後では、０％でピークになり、±３％で高さが１／２に減り、その後急激にゼロまで低下するドーム状の分布に変わる。エネルギー差の小さいイオンの数が相対的に多くなるので、一枚のエネルギー分析スリットだけ設置して、ほぼ矩形のエネルギー分布のままスリットを通過させたときより、エネルギー幅が実質的に小さくなる。
【００７５】
二重のスリットシステムは、エネルギー分布の端部を削る効果によって、リナックにより加速されたビームのエネルギーが予定注入エネルギーからわずかにずれている場合、通過後のビームのエネルギーずれを小さくする効果がある。例えば、エネルギー幅が±３％で、エネルギーずれも３％ある場合、二重スリットを通過した後のエネルギー分布は、前記ドーム状分布のエネルギーのプラス側半分になり、その分布の重心であるエネルギー中心は、ほぼΔＥ／Ｅ＝１％付近に来る。一方、単一のエネルギー分析スリットでカットした場合、中心はΔＥ／Ｅ＝１．５％になる。分布をなまらせる効果は、必ずエネルギー中心のずれを抑える方向に働く。
【００７６】
このように、エネルギー幅とエネルギーずれの両方を持つ加速システムで、エネルギー幅とエネルギー中心のずれを両方縮小して、エネルギー精度を上げるためには、二重スリットによるエネルギー制限が有効である。
【００７７】
エネルギー分析電磁石には高い磁場精度が必要であるので、精密な磁場測定を行う高精度な測定装置８６ａ，８６ｂが、取り付けられている（図５（ｂ）参照）。測定装置８６ａ，８６ｂは、ＭＲＰ（磁気共鳴プローブ)とも呼ばれるＮＭＲ(核磁気共鳴)プローブとホールプローブとを適宜組み合わせたもので、ＭＲＰはホールプローブの校正に、ホールプローブは磁場一定のフィードバック制御にそれぞれ使用される。また、エネルギー分析電磁石は、磁場の不均一性が０．０１％未満になるように、厳しい精度で製作されている。さらに、それぞれの電磁石には、電流設定精度と電流安定度とが１×１０−４以上の電源とその制御機器が接続されている。
【００７８】
また、エネルギー分析スリット２８の上流側（イオンビームラインの上流）であって、エネルギー分析スリット２８とエネルギー分析電磁石２４との間に、横収束レンズとして四重極レンズ２６が配置されている。四重極レンズ２６は、電場式若しくは磁場式で構成することができる。これによって、イオンビームがＵ字状に偏向された後のエネルギー分散が抑制され、ビームサイズが小さくなるので、高効率のビーム輸送ができる。また、偏向電磁石の磁極部ではコンダクタンスが小さくなるため、例えば、エネルギー分析スリット２８の近傍に、アウトガス排出用の真空ポンプを配置することが有効である。磁気浮上式のターボ分子ポンプを使用する場合は、エネルギー分析電磁石２４や偏向電磁石３０の電磁石の漏れ磁場の影響を受けない位置に設置しなければならない。この真空ポンプによって、偏向ユニットでの残留ガス散乱によるビーム電流低下が防がれる。
【００７９】
高エネルギー多段直線加速ユニット１４中の四重極レンズや、分散調整用四重極レンズ２６、ビーム整形器３２に、大きな据付け誤差があると、図５（ｂ）に示されているビームの中心軌道が歪み、ビームがスリットに当たって失われやすくなり、最終的な注入角度と注入位置も狂ってしまう。これに対しては、注入角度補正機能を有する偏向電磁石３０の磁場補正値によって、水平面上では、ビームの中心軌道が、必ずビーム走査器３４の中心を通るようになっている。これによって、注入角度の狂いは矯正される。さらに、ビーム走査器３４に適切なオフセット電圧を加えると、走査器からウェハまでの中心軌道の歪みはなくなり、注入位置の左右ずれは解消される。
【００８０】
ビーム偏向ユニット１６の各偏向電磁石を通過中のイオンには、遠心力とローレンツ力が働いており、それらが釣り合って、円弧状の軌跡が描かれる。この釣合いを式で表すとｍｖ＝ｑＢｒとなる。ｍはイオンの質量、ｖは速度、ｑはイオン価数、Ｂは偏向電磁石の磁束密度、ｒは軌跡の曲率半径である。この軌跡の曲率半径ｒが、偏向電磁石の磁極中心の曲率半径と一致したイオンのみが、偏向電磁石を通過できる。言い換えると、イオンの価数が同じ場合、一定の磁場Ｂがかかっている偏向電磁石を通過できるのは、特定の運動量ｍｖを持ったイオンのみである。ＥＦＭは、エネルギー分析電磁石と呼ばれているが、実際は、イオンの運動量を分析する装置である。ＢＭや、イオン生成ユニットの質量分析電磁石も、全て運動量フィルターである。
【００８１】
また、ビーム偏向ユニット１６は、複数の磁石を用いることで、イオンビームを１８０°偏向させることができる。これにより、ビームラインがＵ字状の高エネルギーイオン注入装置１００を簡易な構成で実現できる。
【００８２】
図５（ａ）に示すように、ビーム偏向ユニット１６は、高エネルギー多段直線加速ユニット１４から出たイオンビームを、エネルギー分析電磁石２４で９０°偏向する。そして、軌道補正兼用偏向電磁石３０によりビーム進路をさらに９０°偏向し、後述するビーム輸送ラインユニット１８のビーム整形器３２に入射させる。ビーム整形器３２は、入射したビームを整形してビーム走査器３４に供給する。また、図５（ｂ）に示す四重極レンズ２６のレンズ作用により、ビームのエネルギー分散による発散を防止し、あるいは、エネルギー分散によるビーム拡大効果を利用して、ビームが小さくなりすぎることを防いでいる。
【００８３】
図１１（ａ）は、横収束レンズである四重極レンズを模式的に示す平面図、図１１（ｂ）は、四重極レンズを模式的に示す正面図である。図１１（ａ）の平面図では、四重極レンズ２６のビームライン進行方向の電極長さを示すとともに、エネルギー分析器（ＥＦＭ偏向磁石）２４に選別されたエネルギーのビームについて、横発散していくビームが四重極レンズ２６により横収束される作用を示す。図１１（ｂ）の正面図では、四重極レンズ２６の電極による収束発散作用によるビームの横収束作用を示す。
【００８４】
上述のように、ビーム偏向ユニット１６は、イオン源で発生したイオンを加速してウェハまで輸送して打ち込むイオン注入装置において、高エネルギー多段直線加速ユニット１４とビーム輸送ラインユニット１８との間において、イオンビームの１８０°の偏向を複数の電磁石で行っている。つまり、エネルギー分析電磁石２４および軌道補正兼用偏向電磁石３０は、それぞれ偏向角度が９０度となるように構成されており、その結果、合計の偏向角度が１８０度となるように構成されている。なお、一つの磁石で行う偏向量は９０°に限られず、以下の組合せでもよい。
【００８５】
（１）偏向量が９０°の磁石が１つ＋偏向量が４５°の磁石が２つ
（２）偏向量が６０°の磁石が３つ
（３）偏向量が４５°の磁石が４つ
（４）偏向量が３０°の磁石が６つ
（５）偏向量が６０°の磁石が１つ＋偏向量が１２０°の磁石が１つ
（６）偏向量が３０°の磁石が１つ＋偏向量が１５０°の磁石が１つ
エネルギー分析部としてのビーム偏向ユニット１６は、Ｕ字状のビームラインにおける折り返し路であり、それを構成する偏向電磁石の曲率半径ｒは、輸送できるビームの最大エネルギーを限定するとともに、装置の全幅や中央のメンテナンスエリアの広さを決定する重要なパラメータである（図５参照）。その値を最適化することによって、最大エネルギーを下げることなく、装置の全幅を最小に抑えている。そして、これにより、高エネルギー多段直線加速ユニット１４とビーム輸送ラインユニット１８との間の間隔が広くなり、十分な作業スペースＲ１が確保できている（図１参照）。
【００８６】
図１２（ａ）、図１２（ｂ）は、電磁石の構成の一例を示す斜視図である。図１３は、電磁石が備える開閉装置を模式的に示した図である。エネルギー分析電磁石２４や偏向電磁石３０を構成する電磁石は、例えば、図１２（ａ）、図１２（ｂ）に示すように、アッパーヨーク８７、ロアーヨーク８８（＊図の確認）、内側と外側のサイドヨーク８９ａ，８９ｂ、上ポール（不図示）、下ポール９３、上コイル９１ａ、下コイル９１ｂ、で構成されている。また、図１３に示すように、外側サイドヨーク８９ｂは、２つの部材８９ｂ１，８９ｂ２に分割されており、開閉装置９２ａ，９２ｂによって、外側に観音開きできるようになっており、図示しない、ビームラインを構成するビームガイド容器を着脱できるよう構成されている。
【００８７】
また、ビーム偏向ユニット１６の中央部の真空容器、例えば、エネルギー幅制限スリット２７、四重極レンズ２６、エネルギー分析スリット２８等を収納している容器は、ビームラインから容易に脱着できる構造になっている。これによって、メンテナンス作業時に、Ｕ字状ビームライン中央の作業エリアに、簡単に出入りすることができる。
【００８８】
高エネルギー多段直線加速ユニット１４は、イオンの加速を行う複数の線形加速装置を備えている。複数の線形加速装置のそれぞれは、共通の連結部を有しており、その連結部は、複数の電磁石のうちエネルギー分析スリット２８よりも上流側にあるエネルギー分析電磁石２４に対して着脱可能に構成されている。同様に、ビーム輸送ラインユニット１８は、偏向電磁石３０に対して着脱可能に構成されていてもよい。
【００８９】
また、エネルギー分析スリット２８より上流側に設けられている、電磁石を含むエネルギー分析電磁石２４は、上流の高エネルギー多段直線加速ユニット１４に対して着脱したり連結したりできるように構成してもよい。また、後述するビーム輸送ラインユニット１８をモジュール型のビームラインユニットで構成した場合、エネルギー分析スリット２８より下流側に設けられている偏向電磁石３０は、下流のビーム輸送ラインユニット１８に対して着脱したり連結したりできるように構成してもよい。
【００９０】
リナック、ビーム偏向ユニットは、それぞれ平面架台上に配置され、それぞれの機器を通過するイオンビーム軌道が実質的に１水平面に含まれる（最終エネルギーフィルターの偏向後の軌道は除く）ように構成されている。
【００９１】
（ビーム輸送ラインユニット）
図６（ａ）は、ビーム走査器からビーム平行化器以降のビームラインから基板処理供給ユニットまでの概略構成を示す平面図、図６（ｂ）は、ビーム走査器からビーム平行化器以降のビームラインから基板処理供給ユニットまでの概略構成を示す側面図である。
【００９２】
ビーム偏向ユニット１６によって必要なイオン種のみが分離され、必要なエネルギー値のイオンのみとなったビームは、ビーム整形器３２により所望の断面形状に整形される。図５、図６に示すように、ビーム整形器３２は、Ｑ（四重極）レンズ等（電場式若しくは磁場式）の収束／発散レンズ群により構成される。整形された断面形状を持つビームは、ビーム走査器３４により図１（ａ）の面に平行な方向にスキャンされる。例えば、横収束（縦発散）レンズＱＦ／横発散（縦収束）レンズＱＤ／横収束（縦発散）レンズＱＦからなるトリプレットＱレンズ群として構成される。ビーム整形器３２は、必要に応じて、横収束レンズＱＦ、横発散レンズＱＤをそれぞれ単独で、あるいは複数組み合わせて構成することができる。
【００９３】
図５に示すようにスキャナーハウジング内の最前部のビーム整形器３２の直前部とには、イオンビームの総ビーム電流値を計測するためのファラデーカップ８０ｂ（リゾルバーファラデーカップと呼ぶ）が配置されている。
【００９４】
図１４（ａ）は、リゾルバーファラデーカップ８０ｂを正面から見た模式図、図１４（ｂ）は、リゾルバーファラデーカップ８０ｂの動作を説明するための模式図である。
【００９５】
リゾルバーファラデーカップ８０ｂは、駆動機構によりビームライン上に上下方向から出し入れ可能に構成され、また、水平方向に長い長方形の枡状形状で、開口部分をビームライン上流側に向けて構成されており、リナック及びビーム偏向部の調整の際に、イオンビームの総ビーム電流を計測する目的の他、ビームライン下流に到達するイオンビームを必要に応じてビームライン上で完全に遮断するために用いられる。またリゾルバーファラデーカップ８０ｂ、ビーム走査器３４及びサプレッション電極７４、グランド電極７６ａ、７８ａ、７８ｂは、スキャナーハウジング８２に収容されている。
【００９６】
ビーム走査器３４は、周期変動する電場により、イオンビームの進行方向と直交する水平方向にイオンビームを周期的に往復走査させる偏向走査装置（ビームスキャナーとも呼ばれる）である。
【００９７】
ビーム走査器３４は、ビーム進行方向に関して、イオンビームの通過域を挟むようにして対向配置された一対（２枚）の対向走査電極（二極式偏向走査電極）を備え、０．５Ｈｚ〜４０００Ｈｚの範囲の一定の周波数で正負に変動する三角波に近似する走査電圧が、２枚の対向電極にそれぞれ逆符号で印加される。この走査電圧は、２枚の対向電極のギャップ内において、そこを通過するビームを偏向させる変動する電場を生成する。そして、走査電圧の周期的な変動により、ギャップを通過するビームが水平方向にスキャンされる。
【００９８】
高エネルギーイオン注入された際に、シリコンウェハ内部に生成される結晶ダメージの量は、スキャン周波数に反比例する。そして、結晶ダメージの量が、生産される半導体デバイスの品質に影響することがある。このような場合に、スキャン周波数を自由に設定できるようにすることにより、生産される半導体デバイスの品質を高めることができる。
【００９９】
さらに、走査電圧をかけない状態で、ウェハ直近で測定されたビーム位置ずれ量を補正するために、オフセット電圧（固定電圧）が走査電圧に重畳される。このオフセット電圧によって、スキャン範囲が左右に偏ることがなくなり、左右対称なイオン注入が実施できる。
【０１００】
ビーム走査器３４の下流側には、イオンビームの通過域に開口を有するサプレッション電極７４が２つのグランド電極７８ａ、７８ｂの間に配置されている。上流側には、走査電極の前方にグランド電極７６ａを配置しているが、必要に応じて下流側と同じ構成のサプレッション電極を配置することができる。サプレッション電極は、正電極への電子の侵入を抑制する。
【０１０１】
また、偏向電極８７ａ，８７ｂの上方と下方には、グランド遮蔽板８９が配置されている。グランド遮蔽板は、ビームに付随する二次電子が、外側から回り込んでビーム走査器３４の正電極に流れ込むことを防いでいる。サプレッション電極とグランド遮蔽板により、走査器の電源が保護されるとともに、イオンビームの軌道が安定化される。
【０１０２】
ビーム走査器３４の後方側にはビームパーク機能が備わっている。ビームパークは、ビームスキャナーを通過したイオンビームを必要に応じて水平に大きく偏向させてビームダンプ部９５ａ，９５ｂに導くように構成されている。
【０１０３】
ビームパークは、電極の放電など、イオン注入中に予期せぬ障害が発生し、そのまま注入動作を続けると、ドーズの均一性不良などの注入不良が発生する場合に、瞬間的（１０μｓ以内）にビーム輸送を中止するシステムである。実際には、ビーム電流の著しい低下を観測した瞬間に、ビームスキャナー電源の出力電圧を最大スキャン幅に対応する電圧の１．５倍に上げて、ビームをパラレルレンズ横のビームダンプ部９５ａ，９５ｂに導いている。障害が発生した時点のウェハ上のビーム照射位置を記憶しておき、障害が解消した後、上下に走査運動しているウェハがその位置に来た瞬間にビームを元の軌道に戻すことによって、あたかも何もなかったかのように、イオン注入が継続される。
【０１０４】
スキャンハウジング内において、ビーム走査器３４の下流側には、ビーム走査空間部が長い区間において設けられ、ビーム走査角度が狭い場合でも十分なスキャン幅を得られるように構成されている。ビーム走査空間部の下流にあるスキャンハウジングの後方には、偏向されたイオンビームを、ビーム走査偏向前のイオンビームの方向になるように調整する、つまり、ビームラインに平行となるように曲げ戻すビーム平行化器３６が設けられている。
【０１０５】
ビーム平行化器３６で発生する収差（ビーム平行化器の中心部と左右端部の焦点距離の差）は、ビーム走査器３４の偏向角の２乗に比例するので、ビーム走査空間部を長くして偏向角を小さくすることは、ビーム平行化器の収差を抑えることに大きく寄与する。収差が大きいと、半導体ウェハにイオンビームを注入する際に、ウェハの中心部と左右端部とでビームサイズとビーム発散角が異なるため、製品の品質にバラツキが生じることがある。
【０１０６】
また、このビーム走査空間部の長さを調整することによって、ビーム輸送ラインユニットの長さを、高エネルギー多段直線加速ユニット１４の長さに合わせることができる。
【０１０７】
図７は、ビーム走査器の一例の主要部を上方から見た模式図である。図８は、ビーム走査器の一例の主要部を側方から見た模式図である。図９は、ビーム走査器の一例をイオンビームラインの途中経路に着脱自在に装着した構造を下流側から見た正面模式図である。
【０１０８】
ビーム走査器１３４は、図７、図８に示すように、一対の偏向電極１２８、１３０とこれらの上流側近傍、下流側近傍に組み付けられたグランド電極１３２、１３３とが箱体１５０内に収容、設置されている。箱体１５０の上流側側面及び下流側側面であって、グランド電極１３２、１３３の開口部分に対応する箇所には、それぞれ、上流側開口部分（図示省略）、グランド電極１３３の開口部分より大きめの開口部分１５２Ａが設けられている。
【０１０９】
偏向電極と電源との接続は、フィードスルー構造にて実現されている。一方、箱体１５０の上面には偏向電極１２８、１３０と電源とを接続するためのターミナルとグランド用のターミナルが設けられている。また、箱体１５０には、ビーム軸に平行な２つの側面に、着脱や持ち運びに都合のよい取っ手が設けられている。なお、箱体１５０には、ビーム走査器１３４内の圧力を下げるための真空排気用の開口部分が形成されており、図示しない真空排気装置に接続されている。
【０１１０】
図９に示すように、箱体１５０は、架台１６０上に固定設置されたビームガイドボックス１７０にスライド自在に設置されている。ビームガイドボックス１７０は箱体１５０より十分に大きく、底部には箱体１５０をスライド可能にするための２本のガイドレールが敷設されている。ガイドレールは、ビーム軸に直交する方向に延びており、その一端側のビームガイドボックス１７０の側面は扉１７２により開閉自在にされている。これにより、ビーム走査器１３４の保守・点検時には、箱体１５０をビームガイドボックス１７０から簡単に取り出すことができる。なお、ビームガイドボックス１７０内に押し込まれた箱体１５０をロックするために、ガイドレールの他端には係止機構（不図示）が設けられている。
【０１１１】
これらのスキャナー周辺のユニット部材は、ビームラインのメンテナンス時の作業対象であり、メンテナンス作業は作業スペースＲ１から容易に実施することができる。高エネルギー多段直線加速ユニット１４のメンテナンス作業時にも、同様に、作業スペースＲ１から容易に実施することができる。
【０１１２】
ビーム平行化器３６には、電場平行化レンズ８４が配置されている。図６に示すように、電場平行化レンズ８４は、略双曲線形状の複数の加速電極対と減速電極対で構成されている。各電極対は、放電が起きない程度の広さの加速・減速ギャップを介して向き合っており、加速減速ギャップには、イオンビームの加減速を引き起こす軸方向の成分と、基準軸からの距離に比例して強くなって、イオンビームに横方向の収束作用を及ぼす横成分とを併せ持つ電界が形成される。
【０１１３】
加速ギャップを挟む電極対のうち下流側の電極と、減速ギャップの上流側の電極、及び、減速ギャップの下流側の電極と次の加速ギャップの上流側の電極とは、同一電位になるように、それぞれ一体の構造体を形成している。図６（ｂ）に示すように、さらにこれらの構造体は、上部ユニットと下部ユニットの上下対の組体で構成され、上部ユニットと下部ユニットの間には、イオンビームが通過する空間部が設けられている。
【０１１４】
電場平行化レンズ８４の上流側から最初の電極（入射電極）と最後の電極（出射電極）は、接地電位に保たれている。これによって、平行化レンズ８４通過前後で、ビームのエネルギーは変化しない。
【０１１５】
中間の電極構造体において、加速ギャップの出口側電極と減速ギャップの入り口側電極には、可変式定電圧の負電源９０が、減速ギャップの出口側電極と加速ギャップの入り口側電極には、可変式定電圧の正電源が接続されている（ｎ段の時は負正負正負・・・）。これによって、イオンビームは加速・減速を繰り返しながら、ビームラインの中心軌道と平行な方向に段階的に向いていく。そして、最終的に偏向走査前のイオンビーム進行方向（ビームライン軌道方向）に平行な軌道に乗る。
【０１１６】
このように、ビーム走査器３４によりスキャンされたビームは、電場平行化レンズ等を含むビーム平行化器３６により、スキャン前のイオンビーム進行方向（ビームライン軌道方向）に平行な偏向角０度の軸（基準軸）に対して平行になる。このとき、スキャン領域は、基準軸に関して左右対称になる。
【０１１７】
電場平行化レンズ８４から出たイオンビームは、電場最終エネルギーフィルター３８（ＡＥＦ（９４）：Angular Energy Filter）に送られる。最終エネルギーフィルター９４では、ウェハに注入する直前のイオンビームのエネルギーに関する最終的な分析が行われ、必要なエネルギー値のイオン種のみが選択されるとともに、合わせて、中性化した価数のない中性粒子や、イオン価数の異なるイオンの除去が行われる。この電界偏向による最終エネルギーフィルター９４は、ビームライン軌道方向の上下方向に対向する一対の平面若しくは曲面からなる板状の偏向電極により構成され、ビームライン軌道方向の上下方向において最終エネルギーフィルター９４自身の偏向作用により下方に曲がっていくイオンビーム軌道に合わせて屈曲している。
【０１１８】
図６（ａ）、図６（ｂ）に示すように、電界偏向用電極は、一対のＡＥＦ電極１０４から構成され、イオンビームを上下方向より挟み込むように配置されている。一対のＡＥＦ電極１０４のうち、上側のＡＥＦ電極１０４には正電圧を、下側のＡＥＦ電極１０４には負電圧をそれぞれ印加している。電界による偏向時には、一対のＡＥＦ電極１０４間で発生する電界の作用によって、イオンビームを下方に約１０〜２０度偏向させ、目的エネルギーのイオンビームのみが選択されることとなる。図６（ｂ）に示されるように、最終エネルギーフィルター９４においては選択された価数のイオンビームのみが設定した軌道角度で下方に偏向される。このようにして選択されたイオン種のみからなるビームが正確な角度で一様に被照射物であるウェハ２００に照射される。
【０１１９】
実際に高エネルギービームを偏向する上では、上下方向に対向する一対の板状の偏向電極２０４は、図１０に示すように、イオンビーム軌道に合わせて屈曲させるときに、偏向角と曲率半径に合わせて、前後にｎ分割し、それぞれの上部電極および下部電極が各々同電位に保たれた板状の電極とした方が、製作精度や経済性の点で優れている。また、前後にｎ分割された板状の偏向電極は、上部電極および下部電極を各々同電位に保つ構成のほか、ｎ分割の上下一対の板状電極として、それぞれ別の電位設定とすることも可能である。
【０１２０】
このような構造を取ることによって、電場式のエネルギーフィルターを高エネルギーのスキャンビーム輸送ラインに搭載することが可能になっている。電場によって、ビームスキャン面と直交する方向にビームを偏向するため、ビームスキャン方向の注入イオン密度分布（均一性）に影響を与えず、エネルギー分析を行うことができるようになっている。
【０１２１】
さらに、最終エネルギーフィルターの搭載によって、本ビームラインには、高エネルギー多段直線加速ユニット１４の高周波線形加速装置、Ｕ字状偏向部の磁場式のＥＦＭ（エネルギー分析電磁石２４）とＢＭ（偏向電磁石３０）と合わせて、３種類のビームフィルターが搭載されることになった。前述のように、高周波線形加速装置は速度（ｖ）フィルターであり、ＥＦＭとＢＭは運動量（ｍｖ）フィルターであり、この最終エネルギーフィルターはその名の通りエネルギー（ｍｖ２／２）フィルターである。このように、方式の異なる三重のフィルターをかけることにより、従来と比べてエネルギー純度が高いだけでなく、パーティクルやメタルコンタミネーションも少ない非常に純粋なイオンビームをウェハに供給できるようになっている。
【０１２２】
なお、機能的には、ＥＦＭは高分解能で、高周波線形加速装置をすり抜けたエネルギーコンタミネーションの除去やエネルギー幅の制限を行い、ＡＥＦは比較的低分解能で、ＥＦＭによるエネルギー分析後のビーム輸送ラインユニットで、主にレジストアウトガスによって価数が変化したイオンを除去する役割を担っている。
【０１２３】
最終エネルギーフィルター９４は、最終エネルギーフィルター９４の上流側にグランド電極１０８、および下流側の２つのグランド電極の間にＡＥＦサプレッション電極１１０を設けた電極セットを備えている。このＡＥＦサプレッション電極１１０は、正電極へ電子の侵入を抑制する。
【０１２４】
最終エネルギーフィルター９４の最下流側のグランド電極の左右端に配置されたドーズカップ１２２により、ドーズ量の目安とする注入注のビーム電流量を測定する。
【０１２５】
（基板処理供給ユニット）
図６（ａ）においてウェハ２００に隣接して示した矢印はビームがこれらの矢印の方向にスキャンされることを示し、図６（ｂ）においてウェハ２００に隣接して示した矢印はウェハ２００がこれらの矢印の方向に往復移動、すなわち機械走査されることを示している。つまり、ビームが、例えば一軸方向に往復スキャンされるものとすると、ウェハ２００は、図示しない駆動機構により上記一軸方向に直角な方向に往復移動するように駆動される。
【０１２６】
ウェハ２００を所定の位置に搬送供給し、イオン注入による処理を行う基板処理供給ユニット２０は、プロセスチャンバ（注入処理室）１１６に収納されている。プロセスチャンバ１１６は、ＡＥＦチャンバ１０２と連通している。プロセスチャンバ１１６内には、エネルギー制限スリット（ＥＤＳ：Energy Defining Slit）１１８が配置されている。エネルギー制限スリット１１８は、所用以外のエネルギー値と価数を持つイオンビームの通過を制限することにより、ＡＥＦを通過した所用のエネルギー値と価数を持つイオンビームだけを分離するために、スキャン方向に横長のスリットで構成されている。また、エネルギー制限スリット１１８は、スリットの分離の間隔を調整するために上下方向から可動式の部材でスリット体を構成し、エネルギー分析や、注入角度の測定など、複数の測定目的に対応できるようにしても良い。さらに、可動式の上下の切替えスリット部材は、複数のスリット面を備えて、これらのスリット面を切り替えた後、さらに上下スリットの軸を上下方向に調整させたり、回転させたりすることによって、所望のスリット幅に変更するよう構成しても良い。これら複数のスリット面をイオン種に応じて順次切り替えることにより、クロスコンタミネーションを低減する構成とすることも可能である。
【０１２７】
プラズマシャワー１２０は、低エネルギー電子をイオンビームのビーム電流量に応じて軌道上のイオンビームとウェハ２００の前面に供給し、イオン注入で生じる正電荷のチャージアップを抑制する。なお、最終エネルギーフィルター９４の最下流側のグランド電極の左右端に配置されたドーズカップ１２２の代わりに、プラズマシャワー１２０の左右端にドーズ量を測定するドーズカップ（不図示）を配置しても良い。
【０１２８】
ビームプロファイラ１２４は、イオン注入位置でのビーム電流の測定を行うためのビームプロファイラカップ（図示省略）を備えている。ビームプロファイラ１２４は、イオン注入前に水平方向へ移動させながら、イオン注入位置のイオンビーム密度を、ビームスキャン範囲において測定する。ビームプロファイル測定の結果、イオンビームの予想不均一性（ＰＮＵ:Predicted Non Uniformity）がプロセスの要求に満たない場合には、ビーム走査器３４の印加電圧の制御関数を補正して、プロセス条件を満たすように自動的に調整する。また、ビームプロファイラ１２４に、バーティカルプロファイルカップ（図示省略）を併設して、ビーム形状・ビームＸ−Ｙ位置を測定して、注入位置でのビーム形状を確認し、ビーム幅やビーム中心位置、ダイバージェンスマスクと組み合わせて注入角度やビーム発散角を確認できるよう構成することも可能である。
【０１２９】
ビームラインの最下流には、スキャン範囲のイオンビームをウェハ領域において全て計測できるビーム電流計測機能を有する横長ファラデーカップ１２６が配置されており、最終セットアップビームを計測するよう構成されている。図１５は、横長ファラデーカップを正面から見た模式図である。なお、クロスコンタミネーションを低減するために、横長ファラデーカップ１２６は、イオン種に応じて三角柱の３面を切り替えることができるトリプルサーフェス構造のファラデーカップの切り換え式底面を持つ構成とすることも可能である。また、横長ファラデーカップ１２６に、バーティカルプロファイルカップ（図示省略）を併設して、ビーム形状やビーム上下位置を測定して、注入位置での上下方向の注入角度やビーム発散角をモニターできるよう構成することも可能である。
【０１３０】
前述のように、高エネルギーイオン注入装置１００は、図１に示すように、作業スペースＲ１を囲むように、各ユニットがＵ字状に配置されている。そのため、作業スペースＲ１にいる作業者は、最小限の移動により、多くのユニットに対して部品の交換やメンテナンス、調整を行うことができる。
【０１３１】
（全体レイアウト、メンテナンス性、製造性、地球環境配慮）
以上、本実施の形態に係る高エネルギーイオン注入装置１００は、イオンビーム生成ユニット１２にて生成したイオンビームを、高エネルギー多段直線加速ユニット１４にて加速するとともに、ビーム偏向ユニット１６により方向転換し、ビーム輸送ラインユニット１８の終端に設けられている基板処理供給ユニット２０にある基板に照射する。
【０１３２】
また、高エネルギーイオン注入装置１００は、複数のユニットとして、高エネルギー多段直線加速ユニット１４と、ビーム輸送ラインユニット１８と、を含んでいる。そして、高エネルギー多段直線加速ユニット１４およびビーム輸送ラインユニット１８は、図１に示す作業スペースＲ１を挟んで対向するように配置されている。これにより、従来装置ではほぼ直線状に配置されてきた高エネルギー多段直線加速ユニット１４と、ビーム輸送ラインユニット１８とが折り返して配置されるため、高エネルギーイオン注入装置１００の全長を抑えることができる。また、ビーム偏向ユニット１６を構成する複数の偏向電磁石の曲率半径は、装置幅を最小にするように最適化されている。これらによって、装置の設置面積を最小化するとともに、高エネルギー多段直線加速ユニット１４とビーム輸送ラインユニット１８との間に挟まれた作業スペースＲ１において、高エネルギー多段直線加速ユニット１４やビーム輸送ラインユニット１８の各装置に対する作業が可能となる。
【０１３３】
また、高エネルギーイオン注入装置１００を構成する複数のユニットは、ビームラインの上流側に設けられている、イオンビームを発生させるイオンビーム生成ユニット１２と、ビームラインの下流側に設けられている、イオンが注入される基板を供給し処理する基板処理供給ユニット２０と、イオンビーム生成ユニット１２から基板処理供給ユニット２０へ向かうビームラインの途中に設けられている、イオンビームの軌道を偏向するビーム偏向ユニット１６とを含んでいる。そして、イオンビーム生成ユニット１２および基板処理供給ユニット２０をビームライン全体の一方の側に配置し、ビーム偏向ユニット１６をビームライン全体の他方の側に配置している。これにより、比較的短時間でメンテナンスの必要なイオン源１０や、基板の供給、取り出しが必要な基板処理供給ユニット２０が隣接して配置されるため、作業者の移動が少なくてすむ。
【０１３４】
また、高エネルギー多段直線加速ユニット１４は、イオンの加速を行う複数の一連の線形加速装置を備えており、複数の一連の線形加速装置のそれぞれは、共通の連結部を有していてもよい。これにより、基板へ注入するイオンに必要とされるエネルギーに応じて、線形加速装置の数や種類を容易に変更できる。
【０１３５】
また、スキャナー装置であるビーム走査器３４および平行化レンズ装置であるビーム平行化器３６は、隣接するユニットとの連結部として標準化された形状を有していてもよい。これにより、線形加速装置の数や種類を容易に変更できる。そして、ビーム走査器３４やビーム平行化器３６は、高エネルギー多段直線加速ユニット１４が備える線形加速装置の構成および数に応じて選択されてもよい。
【０１３６】
また、高エネルギーイオン注入装置１００において、各装置のフレームと真空チャンバとを一体化し、装置フレームまたは真空チャンバの基準位置に合わせて組付けを行うことにより、ビームの芯出し（位置調整）が可能となるように構成してもよい。これにより、煩雑な芯出し作業が最小限となり、装置立ち上げ時間が短縮でき、作業間違いによる軸ずれの発生が抑制できる。また、連続する真空チャンバ同士の芯出しを、モジュール単位で実施してもよい。これにより、作業負荷を低減できる。また、モジュール化された装置の大きさを、装置の移動がし易い大きさ以下にしてもよい。これにより、モジュールや高エネルギーイオン注入装置１００の移設負荷を低減できる。
【０１３７】
また、高エネルギーイオン注入装置１００は、高エネルギー多段直線加速ユニット１４、ビーム輸送ラインユニット１８、排気装置等を含む構成機器を一体の架台に組み込んでもよい。また、高エネルギーイオン注入装置１００は、高エネルギー多段直線加速ユニット１４やビーム偏向ユニット１６、ビーム輸送ラインユニット１８を平面基盤上にほぼ一水平面に含まれるようにしている。これにより、高エネルギーイオン注入装置１００を一水平面の平面基盤上に固定された状態で調整しブロック毎にそのまま運搬することもできるので、輸送中に調整ずれを生ずることが少なく、現地で再調整する手間が大いに省ける。そのため、現場に多数の熟練者を送り込んで長期間滞在させる不経済を避けることができる。
【０１３８】
また、上記の平面基盤を架台の床でなく中間に形成すると、平面基盤上に、イオンビーム軌道に直接的に関係する上述の機器のみを搭載するようにできる。そして、これらに対する補助的な機器である高周波立体回路等の部材を、全て平面基盤の下に形成される空間中に組み込むことで、空間利用率を向上させ、よりコンパクトなイオン注入装置を実現することも可能になる。
【０１３９】
したがって、上述の高エネルギーイオン注入装置１００は、設置場所に余裕がない場所でも設置でき、製作工場内で組み付け調整したままの状態で需要箇所に輸送して、現地に据え付け、最終調整により使用ができる。また、高エネルギーイオン注入装置１００は、半導体製造工場の半導体製造装置ラインの標準的な水準における利用に耐えられる以上の高エネルギーのイオン注入を実現できる。
【０１４０】
このように、高エネルギーイオン注入装置１００は、各ユニットや各装置のレイアウトを工夫することで、従来と比較して大いに小型化され、従来の半分程度の設置長さに納めることができる。また、本実施の形態に係るイオン注入装置は、製造工場内で各構成要素を基盤上に組み込み、基盤上で位置調整してイオンビーム軌道を確立したまま輸送車に搭載して現地に輸送し、架台ごと据え付けた上で輸送中に生じた狂いを微調整して除去することにより稼働させることができる。そのため、熟練者でなくとも現場調整が格段に容易かつ確実に実施でき、また立ち上げ期間を短縮できる。
【０１４１】
また、長いＵ字状の折り返し型ビームラインのようなレイアウトを取ることによって、最高５〜８ＭｅＶの高エネルギーイオンを高精度で注入できるイオン注入装置を実現することができる。また、このイオン注入装置は、中央通路（中央領域）を持つこのレイアウトによって、小さな設置面積で十分なメンテナンスエリアを持つ。また、イオン注入装置の運転時においては、電場パラレルレンズや電場式スキャナー、電場ＡＥＦ等の使用による低消費電力運転によって、消費電力を少なくできる。換言すると、本実施の形態に係るイオン注入装置は、電場偏向式の平行化レンズ装置の使用によるスキャンビームの平行化機構を有することで、低消費電力運転が可能となる。
【０１４２】
以上、本発明を上述の実施の形態を参照して説明したが、本発明は上述の実施の形態に限定されるものではなく、実施の形態の構成を適宜組み合わせたものや置換したものについても本発明に含まれるものである。また、当業者の知識に基づいて各実施の形態における組合せや処理の順番を適宜組み替えることや各種の設計変更等の変形を各実施の形態に対して加えることも可能であり、そのような変形が加えられた実施の形態も本発明の範囲に含まれうる。
【０１４３】
以下、本願発明の異なる態様を実施の形態に沿って列挙する。
【０１４４】
図１に示すように、本実施の形態に係る高エネルギーイオン注入装置１００は、イオン源１０から引き出したイオンビームを加速し、ビームラインに沿ってウェハまで輸送し、該ウェハに注入する高エネルギーイオン注入装置である。高エネルギーイオン注入装置１００は、イオン源１０と質量分析装置２２を有するイオンビーム生成ユニット１２と、イオンビームを加速して高エネルギーイオンビームを生成する高エネルギー多段直線加速ユニット１４と、高エネルギーイオンビームを偏向しエネルギーを分析するとともにウェハに向けて方向転換する高エネルギービームの偏向ユニット１６と、偏向された高エネルギーイオンビームをウェハまで輸送するビーム輸送ラインユニット１８と、輸送された高エネルギーイオンビームを均一に半導体ウェハに注入する基板処理供給ユニット２０と、を備える。ビーム輸送ラインユニット１８は、ビーム整形器３２と、高エネルギー用のビーム走査器３４と、高エネルギー用のビーム平行化器３６と、高エネルギー用の最終エネルギーフィルター３８とを有する。
【０１４５】
高エネルギーイオン注入装置１００は、ビーム偏向ユニット１６を出た高エネルギーイオンビームを、ビーム走査器３４によりビームラインの基準軌道の両側にスキャンするとともに、ビーム平行化器３６により平行化し、高エネルギー用の最終エネルギーフィルター３８により、質量、イオン価数およびエネルギーの少なくともいずれかが異なる混入イオンを取り除いてウェハに注入するように構成されている。また、高エネルギー用のビーム平行化器３６は、電場によって高エネルギービームの加速と減速を繰り返しながらスキャンビームを平行化していく電場式ビーム平行化器である
【０１４６】
また、図６（ａ）、図６（ｂ）に示すように、ビーム平行化器３６は、ビームラインＬ１に対応するビーム入口開口部１３５ａが形成され、ビーム進行方向にイオンを加速させる電界を発生させるように間隔Ｇ１を有して対向する少なくとも一対の加速用電極１３５（１３５ｂ，１３５ｃ）と、ビームラインＬ１に対応するビーム出口開口部１３６ａが形成され、ビーム進行方向にイオンを減速させる電界を発生させるように間隔Ｇ２を有して対向する少なくとも一対の減速用電極１３６（１３６ｂ，１３６ｃ）と、を有する。
【０１４７】
一対の加速用電極１３５は、イオンビームを加速させるとともに基準軌道側に近づく方向に偏向させる。また、一対の減速用電極１３６は、イオンビームを減速させるとともに基準軌道側に近づく方向に偏向させる。
【０１４８】
一対の加速用電極１３５と一対の減速用電極１３６は、高エネルギーイオンビームを加速または減速させる成分と偏向する成分とを併せ持つ電界を発生させるように間隔（ギャップ）を有して対向する２つの電極からなる。そして、加速ギャップ出口側の電極１３５ｃと減速ギャップ入り口側の電極１３６ｂ、及び、減速ギャップ出口側の電極１３６ｃと加速ギャップ入り口側の電極１３５ｂとをそれぞれ同電位としている。また、これらの電極は一体で形成されている。
【０１４９】
この態様によると、スキャンされた高エネルギーのイオンビームを左右対称に平行化することができ、精度良くイオン注入することができる。
【０１５０】
また、図６に示すビーム平行化器３６においては、一対の加速用電極１３５のうちビームライン上流側の電極１３５ｂの電位を接地電位とし、一対の加速用電極１３５のうちビームライン下流側の電極１３５ｃおよび一対の減速用電極１３６のうちビームライン上流側の電極１３６ｂを導通（一体化）させ、平行化電源９０により互いの電位を−５０ｋＶとし、一対の減速用電極１３６のうちビームライン下流側の電極１３６ｃの電位を接地電位としている。
【０１５１】
このような構成のビーム平行化器３６により発生する電場によって平行化を行う場合、各電極の間では加速または減速が生じており、イオンのエネルギーも変化することになるが、ビーム平行化器３６の入り口と出口の電位は同一であるので、全体としてのエネルギー変化は生じない。つまり、ビーム平行化器３６は、ビーム走査器３４によりスキャンされたイオンビームのエネルギーと加速用電極１３５および減速用電極１３６により平行化されたイオンビームのエネルギーとが同じとなるように構成されている。
【０１５２】
図１６は、本実施の形態のある態様のビーム平行化器の概略構成を示す上面図である。なお、図６に示すビーム平行化器３６と同じ構成については、同じ符号を付して説明を適宜省略する。
【０１５３】
図１６に示されるビーム平行化器１３７は、一対の加速用電極１３８のうちビームライン上流側の電極１３８ａの電位を接地電位とし、一対の加速用電極１３８のうちビームライン下流側の電極１３８ｂの第１電位をＶ１［Ｖ］（Ｖ１＞０）とし、一対の減速用電極１３９のうちビームライン上流側の電極１３９ａの第２電位を−Ｖ２［Ｖ］（Ｖ２＞０）とし、一対の減速用電極１３９のうちビームライン下流側の電極１３９ｂの電位を接地電位とする。電極１３８ａには、正の電圧を付与する平行化電源１４０が接続されており、電極１３９ａには、負の電圧を付与する平行化電源１４１が接続されている。
【０１５４】
なお、平行化電源１４０に負の電圧を、平行化電源１４１に正の電圧を付与してもよい。また、第１電位および第２電位は、｜Ｖ１｜＝｜Ｖ２｜を満たすように構成してもよい。これにより、イオンビームをバランスよく加減速しながら平行化できる。また、平行化電源１４０および平行化電源１４１として同じ構成の電源を用いることができる。
【０１５５】
図１７（ａ）は、本実施の形態のある態様のビーム平行化器の略構成を示す上面図、図１７（ｂ）は、本実施の形態のある態様のビーム平行化器の概略構成を示す側面図である。なお、図６に示すビーム平行化器３６と同じ構成については、同じ符号を付して説明を適宜省略する。
【０１５６】
図１７（ａ）、図１７（ｂ）に示されるビーム平行化器１４２は、複数対の加速用電極１４３，１４４と、複数対の減速用電極１４５，１４６と、を有する加速減速電極レンズ群から構成されており、スキャンされたイオンビームを段階的に平行化するように構成されている。これにより、一つの加速用電極または一つの減速用電極に印加される電圧を小さくできるため、電源の簡素化、小型化が可能となり、また、放電の発生も抑制できる。
【０１５７】
また、加速用電極１４３の下流側の電極１４３ｂと減速用電極１４５の上流側の電極１４５ａは同電位となるように導通されており、第１の平行化電源１４７が接続されている。また、減速用電極１４５の下流側の電極１４５ｂと加速用電極１４４の上流側の電極１４４ａは同電位となるように導通されており、第２の平行化電源１４８が接続されている。また、加速用電極１４４の下流側の電極１４４ｂと減速用電極１４６の上流側の電極１４６ａは同電位となるように導通されており、第１の平行化電源１４７が接続されている。なお、加速用電極１４３の上流側の電極１４３ａと減速用電極１４６の下流側の電極１４６ｂは、それぞれ接地電位となっている。このように一部の電極に印加される電圧を同じにすることで、用いられる電源を少なくできる。
【０１５８】
なお、複数対の加速用電極１４３，１４４および複数対の減速用電極１４５，１４６のうち、ビームラインの最上流側に配置されている入口接地電極である電極１４３ａと電極１４３ａに隣接する電極１４３ｂとにより電子の流入を抑制する第１サプレッション電極を構成し、ビームラインの最下流側に配置されている出口接地電極である電極１４６ｂと電極１４６ｂに隣接する電極１４６ａとにより電子の流入を抑制する第２サプレッション電極を構成してもよい。これにより、サプレッション電極を別に設ける必要がなくなる。
【０１５９】
また、第１の平行化電源１４７により加速用電極１４３の下流側の電極１４３ｂに印加する電圧を−Ｖ１［Ｖ］（Ｖ１＞０）、第２の平行化電源１４８により減速用電極１４５の下流側の電極１４５ｂに印加する電圧をＶ２［Ｖ］（Ｖ２＞０）、加速用電極１４３の２つの電極１４３ａ，１４３ｂの間隔をＧ１、減速用電極１４５の２つの電極１４５ａ，１４５ｂの間隔をＧ２とすると、以下の関係を満たすとよい。
｜Ｖ１｜／Ｇ１＝｜Ｖ１＋Ｖ２｜／Ｇ２
【０１６０】
このように、加速用電極と減速用電極における各電極間での電界強度が一様になるようにすることで、イオンビームをバランスよく加減速しながら平行化できる。
【０１６１】
また、ビーム平行化器１４２は、ビーム平行化器への入射直前のイオンビームのエネルギーとビーム平行化器から出射直後のイオンビームのエネルギーとが同じとなるよう構成されている。より詳述すると、ビーム平行化器１４２は、ビーム走査器によりスキャンされたイオンビームのエネルギーと加速用電極対（１４３，１４４）および減速用電極対（１４５，１４６）により平行化されたイオンビームのエネルギーとが同じとなるように、ビーム平行化器１４２の入射電極（１４３ａ）および出射電極（１４６ｂ）が共に接地され、加速ギャップ出口側の電極（１４３ｂ，１４４ｂ）と減速ギャップ入り口側の電極（１４５ａ，１４６ａ）、及び、減速ギャップ出口側の電極１４５ｂと加速ギャップ入り口側の電極１４４ａとが正または負の同電位に構成されている。
【０１６２】
また、ビーム平行化器１４２は、ビームライン上においてビーム走査器により基準軌道の両側にスキャンされたイオンビームを、スキャン平面上において、電極対が作る電界により段階的に基準軌道側に近づく方向に偏向させることにより、基準軌道と平行な軌道に方向を一致させるように各電極電位が設定されている。
【０１６３】
図１８は、本実施の形態の変形例に係るビーム平行化器の略構成を示す上面図である。図１８に示すビーム平行化器１６１は、加速用電極および減速用電極からなる３つの平行化レンズ１６２，１６３，１６４が設けられている。ビーム走査器により偏向走査されたイオンビームは、ビームラインＬ１の下流に向かって広がる。そこで、３つの平行化レンズ１６２，１６３，１６４は、ビームラインＬ１の上流側から下流側に向かって幅が徐々に大きくなるようにそれぞれが構成されている。これにより、上流側の平行化レンズを小型化することができる。
【０１６４】
なお、ビーム平行化器１６１は、平行化された後のイオンビームのスキャン方向の幅Ｗ１が、ビーム走査器によりスキャンされたイオンビームがビーム平行化器１６１に入射する際の幅Ｗ２の２倍以上になるように構成されていてもよい。これにより、ビーム走査器からビーム平行化器までの距離を小さくできる。
【０１６５】
本実施の形態に係るビーム平行化器においては、図６、図１６〜図１８に示す加速用電極や減速用電極のように、対の弓形ギャップ電極で構成されている。また、加速用電極対のビームライン下流側の電極および減速用電極対のビームライン上流側の電極は、それぞれの両端で連結され、一体的に連続した電極ユニットとして構成されている。また、上述の各ビーム平行化器は、入射電極および出射電極が接地電位であるが、入射電極および出射電極の一方を接地電位、他方を特定電位とする、もしくは、それぞれ別々の特定電位とすることで、ビーム平行化器に入射したビームを平行化することにより出射したイオンビームのエネルギーを変化させることができる。
【０１６６】
このように、本実施の形態に係る高エネルギーイオン注入装置は、高エネルギーイオンビームをビーム電流密度の均一性を保持しながら、低い電圧で動作できるとともに、ビーム平行化器の通過前後のビームエネルギーを変化させない電場を得ることができる。
【０１６７】
また、本実施の形態に係る高エネルギーイオン注入装置は、高エネルギーのイオンビームを長い区間の電場を通過させることでビーム平行化するよう構成したものである。そして、さらにイオンビームの加減速が可能な複数の電極レンズ群でビーム平行化するよう構成するとともに、加減速の電極レンズ群を弓形ギャップ電極対レンズで構成し、通過前後でビームエネルギーを変化させないように構成した。
【０１６８】
これにより、平行化電源の制御および平行化電場自体の調整が容易であり、平行度の精度と平行化されたビームの進行方向の角度精度を良くすることができる。しかも、左右（スキャン）方向のビーム行路差が対称で、左右均一とすることができるため、高エネルギーイオンビームにおいて、ビームの収束発散の一様性を保つことができる。その結果、平行度の精度と平行化されたビームの進行方向の角度精度を高くすることができる。さらに、ビームスキャンの範囲における高エネルギーイオンビームの密度分布（プロファイル）とビームサイズの変化をほとんどなくすることができ、ビーム電流密度の均一性を保持することができる。
【０１６９】
また、ビームスキャン偏向角度を小さくし、ビームスキャン幅をできるだけ小さくするよう構成したビーム走査器の下流にある本実施の形態に係るビーム平行化器は、ビームスキャン幅が狭い入射ビームについても、ウェハをスキャンできる幅まで緩やかに高精度で平行化できる。その結果、ビームの質の変化を小さくして、ビーム電流密度の均一性を保持することができる。
【０１７０】
なお、加速減速電極レンズ群が、ｎ個の加速用電極対およびｎ個の減速用電極対で構成されており、ビームラインに沿って第１の加速用電極対、第１の減速用電極対、第２の加速用電極対、第２の減速用電極対、・・・、前記第ｎ（ｎは１以上の奇数）の加速用電極対、前記第ｎの減速用電極対、が順に配置されていた場合、以下のように電位設定するとよい。具体的には、加速減速電極レンズ群において、第１の加速用電極対の入り口側電極の第１電位を接地電位とし、第１の加速用電極対の出口側電極および第１の減速用電極対の入り口側電極の第２電位を−Ｖ１［Ｖ］（Ｖ１＞０）とし、第１の減速用電極対の出口側電極および前記第２の加速用電極対の入り口側電極の第３電位をＶ２［Ｖ］（Ｖ２＞０）とし、第２の加速用電極対の出口側電極および第２の減速用電極対の入り口側電極の第４電位を−Ｖ１［Ｖ］（Ｖ１＞０）とし、第２の減速用電極対の出口側電極および第３の加速用電極対の入り口側電極の第５電位をＶ２［Ｖ］（Ｖ２＞０）とし、第ｎの加速用電極対の出口側電極の第（２ｎ＋１）電位を接地電位とする。ここで、第２電位と前記第３電位とは、Ｖ１＝Ｖ２を満たすように設定してもよいし、Ｖ１≠Ｖ２を満たすように設定してもよい。
【０１７１】
電場式のビーム走査器３４は、図６（ａ）及び図６（ｂ）に示すように、イオンビームを通常のスキャン範囲の更に外側に偏向させて、電場式のビーム平行化器３６の手前部に配設された左右いずれか一方のビームダンプ部９５ａ，９５ｂに導くことで、ビームを一時的にダンプできるように構成されていてもよい。
【０１７２】
図１９ないし図２１は、本発明のある実施形態に係るビーム平行化器３００の構成を概略的に示す図である。ビーム平行化器３００は、図１８に示すビーム平行化器１６１と同様に３つの平行化レンズを備える。ビーム平行化器３００は、図１８に示す平行化レンズ１６２，１６３，１６４に対応して、第１平行化レンズ３０２、第２平行化レンズ３０４、及び第３平行化レンズ３０６を備える。これら３つの平行化レンズ３０２、３０４、３０６は、ビームラインの上流側から下流側に向かって幅が徐々に大きくなるようにそれぞれが構成されている。また、ビーム平行化器３００は、平行化レンズ３０２、３０４、３０６を囲む真空容器３０８を備える。
【０１７３】
図１９は、図２０−１のＢ−Ｂ矢視断面図であり、イオンビームのスキャン平面による断面を示す。図１９においては、図１８と同様に、ビーム走査器（例えば、図１に示すビーム走査器３４）により走査されたイオンビームが図中左側からビーム平行化器３００に入射する。ビーム平行化器３００により平行化されたイオンビームは図中右側から出射され、後段のビームライン構成要素（例えば、図１に示す最終エネルギーフィルター３８）に入射する。また、図２０−１は、図１９のＡ−Ａ矢視図である。ただし、図２０−１には、真空容器３０８の一方の壁を真空容器３０８から取り外した状態のビーム平行化器３００を示す。図２０−２は図１９の紙面に垂直な平面による加速または減速レンズ部の構成を示す部分断面図であり、図２０−３は図２０−２の加速または減速レンズ部に設けられた第１蓋部３９６および第２蓋部３９７の部分断面図である。図２１は、ビーム平行化器３００の主要部の斜視図を示す。ただし、図を見やすくするために、図２１においては真空容器３０８及び上部ベースプレート３６８を省略する。
【０１７４】
図１９、図２０−１において、平行化レンズ３０２、３０４、３０６の各々は、加速レンズ部３１０及び減速レンズ部３１２を備える。加速レンズ部３１０と減速レンズ部３１２とが交互に配列されている。各平行化レンズ３０２、３０４、３０６においては、加速レンズ部３１０が上流側に、減速レンズ部３１２が下流側に配置されている。
【０１７５】
このように、ビーム平行化器３００は６つの加速または減速レンズ部から構成される３つの平行化レンズを備える。これらの複数の加速または減速レンズ部は、イオン注入装置における基準軌道に沿って入射したイオンビームに関して、基準軌道に対し平行化されたビームをビーム平行化器３００の出口に生成するように、基準軌道に沿って配列されている。ここで、基準軌道は例えば、図６（ａ）、図６（ｂ）、図１７、図１８等に図示するビームラインＬ１に相当する。基準軌道またはビームラインＬ１は、ビームスキャンを作動させていないときのイオンビームの中心軌道を表す。
【０１７６】
それぞれの加速レンズ部３１０は、弓形状湾曲ギャップとして弓形状に湾曲した加速ギャップ３１４を備える。加速レンズ部３１０は、加速ギャップ３１４に印加される電場によりイオンビームを加速するとともに基準軌道またはビームラインＬ１側に近づけるように偏向するよう構成されている。それぞれの減速レンズ部３１２は、弓形状湾曲ギャップとして弓形状に湾曲した減速ギャップ３１６を備える。減速レンズ部３１２は、減速ギャップ３１６に印加される電場によりイオンビームを減速するとともに基準軌道またはビームラインＬ１側に近づけるように偏向するよう構成されている。
【０１７７】
詳しくは後述するように、ある加速または減速レンズ部とこれに隣接する減速または加速レンズ部との間に空間部３２２、３２４または開口部が設けられている。空間部３２２、３２４は、基準軌道またはビームラインＬ１上のビーム平行化平面と垂直に交差する方向に向けられている。言い換えれば、空間部３２２、３２４は、ビームラインＬ１に垂直な平面によるイオンビーム断面における短手方向に向けられている。ここで、短手方向は、ビーム断面における長手方向（すなわちビーム走査方向）に垂直な方向をいう。空間部３２２、３２４を通じて、ビームラインＬ１または基準軌道を含む内側領域（またはビームラインＬ１の近傍領域）が加速または減速レンズ部３１０、３１２の外側領域３２０へと連通されている。弓形状湾曲ギャップについても同様に、ビームラインＬ１または基準軌道を含む内側領域（またはビームラインＬ１の近傍領域）が弓形状湾曲ギャップを通じて加速または減速レンズ部３１０、３１２の外側領域３２０へと連通されている。
【０１７８】
ここで、ビームラインＬ１または基準軌道の内側領域とは、平行化レンズ３０２、３０４、３０６の配列に沿ってビーム平行化器３００の入口から出口へと延びるビーム輸送空間３１８をいう。本実施形態においては後述のように各加速または減速レンズ部は上部構造と下部構造とに分割されており、ビーム輸送空間３１８は上部構造と下部構造との間に形成されている。また、加速または減速レンズ部３１０、３１２の外側領域３２０とは、真空容器３０８と加速または減速レンズ部３１０、３１２との間の空間をいう。
【０１７９】
以下では、各加速レンズ部３１０の下流側に設けられている空間部を各第１空間部３２２と称し、各減速レンズ部３１２の下流側に設けられている空間部を各第２空間部３２４と称する。すなわち、第１空間部３２２の上流側には加速レンズ部３１０があり、第１空間部３２２の下流側には減速レンズ部３１２があり、第１空間部３２２は、加速レンズ部３１０と減速レンズ部３１２とに挟まれている。また、第２空間部３２４の上流側には減速レンズ部３１２があり、第２空間部３２４の下流側には加速レンズ部３１０があり、第２空間部３２４は、減速レンズ部３１２と加速レンズ部３１０とに挟まれている。
【０１８０】
なお、本実施形態においては各第１空間部３２２及び各第２空間部３２４はそれぞれ１つの空間であるが、ある実施形態においては、第１空間部３２２及び／または第２空間部３２４は、複数の空間に区分されていてもよい。
【０１８１】
真空容器３０８は、入射部３２６、出射部３２８、容器上壁３３０、容器下壁３３２、第１容器側壁３３４、及び第２容器側壁３３６を備える。真空容器３０８は、概ね直方体形状を有しており、その直方体形状の各面が入射部３２６、出射部３２８、容器上壁３３０、容器下壁３３２、第１容器側壁３３４、及び第２容器側壁３３６のそれぞれに相当する。
【０１８２】
入射部３２６は、入射開口３２７を有する真空容器３０８の壁である。イオンビームは入射開口３２７を通じてビーム平行化器３００に入射する。出射部３２８は、出射開口３２９を有する真空容器３０８の壁である。イオンビームは出射開口３２９を通じてビーム平行化器３００から出射する。出射部３２８は、入射部３２６に対向する。
【０１８３】
容器上壁３３０は基準軌道またはビームラインＬ１上のビーム平行化平面と垂直に交差する方向における一方側に設けられ、容器下壁３３２は基準軌道またはビームラインＬ１上のビーム平行化平面と垂直に交差する方向における他方側に設けられており、容器上壁３３０と容器下壁３３２とは対向する。上方の外側領域３２０が、容器上壁３３０とレンズ部３１０、３１２との間に形成され、下方の外側領域３２０が、容器下壁３３２とレンズ部３１０、３１２との間に形成されている。
【０１８４】
また、第１容器側壁３３４は基準軌道またはビームラインＬ１と垂直に交差する平面とビーム平行化平面が交差する直線の方向における一方側に設けられ、第２容器側壁３３６は基準軌道またはビームラインＬ１と垂直に交差する平面とビーム平行化平面が交差する直線の方向における他方側に設けられており、第１容器側壁３３４と第２容器側壁３３６とは対向する。第１容器側壁３３４及び第２容器側壁３３６によって容器上壁３３０と容器下壁３３２とが固定されている。第１容器側壁３３４は、真空容器３０８の開閉可能な壁部として設けられている。図２０−１には、真空容器３０８から第１容器側壁３３４が取り外された状態を示す。第２容器側壁３３６には、詳しくは後述するが、レンズ部３１０、３１２に給電するよう構成されている給電部３３８（図１９参照）が設けられている。
【０１８５】
図１９に示されるように、真空容器３０８には、ビーム輸送空間３１８及びレンズ部３１０、３１２の外側領域３２０を含む真空容器３０８の内部空間の真空排気をするための真空排気部３０９が設けられている。真空排気部３０９は、例えば、クライオポンプまたはターボ分子ポンプなどの高真空ポンプを備える。真空排気部３０９は、例えば容器下壁３３２に形成されている真空容器３０８の排気口に取り付けられていてもよい。
【０１８６】
加速レンズ部３１０の各々は、一対の加速電極部材３４０、３４２を備える。一対の加速電極部材３４０、３４２は、入口加速電極部材３４０と出口加速電極部材３４２とから構成されている。入口加速電極部材３４０及び出口加速電極部材３４２の各々は、加速ギャップ３１４を定める湾曲面３４４を備える。入口加速電極部材３４０の湾曲面３４４は当該電極の出口側の表面であり、出口加速電極部材３４２の湾曲面３４４は当該電極の入口側の表面であり、これら二表面は対向する。湾曲面３４４は、電極中央部から両側にビーム輸送空間３１８の外縁へとビーム輸送空間３１８を横断するように延びている。ここで、電極中央部は、ビームラインＬ１に最も近い電極部材の部位を指す。湾曲面３４４は上述のように、双曲線状または円弧状に形成されている。なお、入口側とはビームラインＬ１の上流側をいい、出口側とはビームラインＬ１の下流側をいう。
【０１８７】
また、入口加速電極部材３４０及び出口加速電極部材３４２の各々は、湾曲面３４４と反対側に背面３４６を備える。入口加速電極部材３４０の背面３４６は当該電極の入口側の表面であり、出口加速電極部材３４２の背面３４６は当該電極の出口側の表面である。背面３４６は、電極中央部から両側にビーム輸送空間３１８の外縁へとビーム輸送空間３１８を横断するように延びている。背面３４６は、湾曲面３４４に沿って湾曲している。なお、ある実施形態においては、背面３４６は、直線的に延びていてもよい。
【０１８８】
また、減速レンズ部３１２の各々は、一対の減速電極部材３４８、３５０を備える。一対の減速電極部材３４８、３５０は、入口減速電極部材３４８と出口減速電極部材３５０とから構成されている。入口減速電極部材３４８及び出口減速電極部材３５０の各々は、減速ギャップ３１６を定める湾曲面３４４を備える。入口減速電極部材３４８の湾曲面３４４は当該電極の出口側の表面であり、出口減速電極部材３５０の湾曲面３４４は当該電極の入口側の表面であり、これら二表面は対向する。また、入口減速電極部材３４８及び出口減速電極部材３５０の各々は、湾曲面３４４と反対側に背面３４６を備える。入口減速電極部材３４８の背面３４６は当該電極の入口側の表面であり、出口減速電極部材３５０の背面３４６は当該電極の出口側の表面である。
【０１８９】
なお、図１９においては図面の煩雑を避けるために、入口加速電極部材３４０、出口加速電極部材３４２、湾曲面３４４、背面３４６、入口減速電極部材３４８、及び出口減速電極部材３５０を中央の第２平行化レンズ３０４に関して指し示す。しかし、図から理解されるように、第１平行化レンズ３０２及び第３平行化レンズ３０６はそれぞれ、第２平行化レンズ３０４と同様に、一対の加速電極部材３４０、３４２及び一対の減速電極部材３４８、３５０を備え、これら電極部材の各々は湾曲面３４４及び背面３４６を備える。
【０１９０】
一般に、加速レンズ部３１０の弓形状の湾曲面３４４と減速レンズ部３１２の弓形状の湾曲面３４４とは、弓形状湾曲ギャップを構成することにより加速ギャップまたは減速ギャップを形成するため、それぞれ、平行化されたビームを最終的にビーム平行化器３００の出射開口３２９に生成するように異なる湾曲形状に設計されている。加速レンズ部３１０の湾曲面３４４ａと湾曲面３４４ｂ、または、減速レンズ部３１２の湾曲面３４４ｃと湾曲面３４４ｄは、加速ギャップ、または、減速ギャップを形成するものであり、それぞれの電極の弓形状湾曲形状は、加速ギャップまたは減速ギャップの設計に応じて各々独立して形状が決定されるものである。加速レンズ部３１０の湾曲面３４４ａ、ｂと減速レンズ部３１２の湾曲面３４４ｃ、ｄとが略同一の湾曲形状になる場合や、加速レンズ部３１０の湾曲面３４４ａ、ｂと減速レンズ部３１２の湾曲面３４４ｃ、ｄとが異なる湾曲形状になる場合も有り、あるいは、類似の湾曲形状になる場合も有る。
【０１９１】
空間部３２２、３２４は、隣接する２つのレンズ部のうち一方のレンズ部の出口側の電極部材の背面３４６ｄまたは３４６ｂと他方のレンズ部の入口側の電極部材の背面３４６ａまたは３４６ｃとの間に形成されている。よって、第１空間部３２２は、出口加速電極部材３４２の背面３４６ｂと、その下流側に隣接する入口減速電極部材３４８の背面３４６ｃとに囲まれる領域である。第２空間部３２４は、出口減速電極部材３５０の背面３４６ｄと、その下流に隣接する入口加速電極部材３４０の背面３４６ａとに囲まれる領域である。
【０１９２】
図２０−１に示されるように、一対の加速電極部材３４０、３４２の各々は、ビームラインＬ１を挟んで上下に離間配置される一組の加速電極片３５２、３５４、３５６、３５８を備える。入口加速電極部材３４０は、上部入口加速電極片３５２と下部入口加速電極片３５４とに分割されている。上部入口加速電極片３５２と下部入口加速電極片３５４とはビームラインＬ１を挟んで対向する。出口加速電極部材３４２は、上部出口加速電極片３５６と下部出口加速電極片３５８とに分割されている。上部出口加速電極片３５６と下部出口加速電極片３５８とはビームラインＬ１を挟んで対向する。詳しくは後述するが、上部入口加速電極片３５２及び上部出口加速電極片３５６は容器上壁３３０に支持され、下部入口加速電極片３５４及び下部出口加速電極片３５８は容器下壁３３２に支持されている。
【０１９３】
また、一対の減速電極部材３４８、３５０の各々は、ビームラインＬ１を挟んで上下に離間配置される一組の減速電極片３６０、３６２、３６４、３６６を備える。入口減速電極部材３４８は、上部入口減速電極片３６０と下部入口減速電極片３６２とに分割されている。上部入口減速電極片３６０と下部入口減速電極片３６２とはビームラインＬ１を挟んで対向する。出口減速電極部材３５０は、上部出口減速電極片３６４と下部出口減速電極片３６６とに分割されている。上部出口減速電極片３６４と下部出口減速電極片３６６とはビームラインＬ１を挟んで対向する。詳しくは後述するが、上部入口減速電極片３６０及び上部出口減速電極片３６４は容器上壁３３０に支持され、下部入口減速電極片３６２及び下部出口減速電極片３６６は容器下壁３３２に支持されている。
【０１９４】
このようにして、加速レンズ部３１０は、４つの加速電極片３５２、３５４、３５６、３５８から構成されている。加速レンズ部３１０を構成する一組の加速電極片３５２、３５４、３５６、３５８の各々は、双曲線状または円弧状の湾曲棒状体３５９（図２１参照）に形成されている。同様に、減速レンズ部３１２は、４つの減速電極片３６０、３６２、３６４、３６６から構成されている。減速レンズ部３１２を構成する一組の減速電極片３６０、３６２、３６４、３６６の各々は、双曲線状または円弧状の湾曲棒状体３５９に形成されている。湾曲棒状体の断面は例えば矩形であるが、それに限られない。電極片の断面形状は上下の電極片が上下方向に対称であればよく、前後方向には異なっていてもよい。例えば、各電極片の湾曲面及び背面のいずれかがビーム輸送方向に凹んでいてもよい。このようにして、上下の電極片それぞれの内側を切り欠く構成であってもよい。なお各電極片は厚板状体あるいは板状体に形成されていてもよい。
【０１９５】
また、各々の入口加速電極部材３４０および出口減速電極部材３５０（ただし入射開口３２７または出射開口３２９近傍の入口加速電極部材３４０および出口減速電極部材３５０を除く）の両端部には、延長電極部３４０ｅまたは延長電極部３５０ｅ（棒状体、板状体、もしくは網状体にて構成する）を備えるよう構成し、加速もしくは減速の同電位の電界領域を保持するよう構成している。
【０１９６】
上部出口加速電極片３５６はその両端にて、上部出口加速電極片３５６に隣接する上部入口減速電極片３６０の両端に固定されている。これら２つの電極片３５６、３６０は直接的に互いに固定されていてもよいし、２つの電極片３５６、３６０間に連結部材を介在させて両者が間接的に固定されていてもよい。あるいは、こうした２つの電極片３５６、３６０の一体構造は、１つの母材から削り出すことによって一体に形成されていてもよい。同様に、下部出口加速電極片３５８はその両端にて、下部出口加速電極片３５８に隣接する下部入口減速電極片３６２の両端に固定されている。
【０１９７】
一方、上部出口減速電極片３６４は、これに隣接する上部入口加速電極片３５２に固定されていない。上部出口減速電極片３６４と隣接する上部入口加速電極片３５２との間には、隙間３６７（図２１参照）がある。電極片３６４、３５２はそれぞれが母材から削り出すことによって形成されていてもよい。しかし、これら２つの電極片３６４、３５２が互いに固定されていてもよい。下部出口減速電極片３６６及び下部入口加速電極片３５４についても同様である。
【０１９８】
なお、図２０−１においては図面の煩雑を避けるために、加速電極片３５２、３５４、３５６、３５８及び減速電極片３６０、３６２、３６４、３６６を第２平行化レンズ３０４に関して指し示す。しかし、図から理解されるように、第１平行化レンズ３０２及び第３平行化レンズ３０６についても第２平行化レンズ３０４と同様に、ビームラインＬ１に対し上部と下部とに分割されている。
【０１９９】
図２０−１に示されるように、第１平行化レンズ３０２は、上述の電極部材（または電極片、以下同様）を支持するために、一組のベースプレート３６８、３７０、具体的には上部ベースプレート３６８及び下部ベースプレート３７０を備える。上部ベースプレート３６８は、各平行化レンズ３０２、３０４、３０６と容器上壁３３０との間に、すなわちレンズ上方の外側領域３２０に設けられている。上部ベースプレート３６８は、第１平行化レンズ３０２（すなわち、加速レンズ部３１０と減速レンズ部３１２の組み合わせ）の上半分を支持する。下部ベースプレート３７０は、各平行化レンズ３０２、３０４、３０６と容器下壁３３２との間に、すなわちレンズ下方の外側領域３２０に設けられている。下部ベースプレート３７０は、第１平行化レンズ３０２の下半分を支持する。同様に、第２平行化レンズ３０４及び第３平行化レンズ３０６もそれぞれ、上部ベースプレート３６８及び下部ベースプレート３７０を備える。
【０２００】
ベースプレート３６８、３７０の各々は、空間部３２２、３２４を通じたビーム輸送空間３１８の真空排気を許容するよう構成されている。そのために、ベースプレート３６８、３７０の各々は、ベースプレート開口３７２（図１９参照）を有する。ベースプレート開口３７２は、ベースプレート３６８、３７０に形成された貫通穴または開放領域であり、ベースプレート開口３７２は、空間部３２２、３２４の上方または下方に設けられている。ベースプレート開口３７２を通じて空間部３２２、３２４が外側領域３２０に接続される。
【０２０１】
上述の電極部材は、対応するベースプレート３６８、３７０に導電取付部材３７４または絶縁取付部材３７６を介して取り付けられている。導電取付部材３７４は例えば筒状の導体小片であり、例えば金属製の円柱状の部材である。絶縁取付部材３７６は例えば、碍子の小片である。導電取付部材３７４及び絶縁取付部材３７６は、ビーム輸送方向における電極部材の厚さと同程度の幅を有する。このように導電取付部材３７４は小型であるので、１つの電極部材はいくつかの導電取付部材３７４を介してベースプレート３６８、３７０に取り付けられている。
【０２０２】
ビーム平行化器３００における最上流及び最下流の電極部材が導電取付部材３７４を介してベースプレート３６８、３７０に取り付けられている。よって、これらの電極部材には、ビーム平行化器３００の動作時に、ベースプレート３６８、３７０と同一の電位（典型的には接地電位）が印加される。
【０２０３】
具体的には、第１平行化レンズ３０２の上部入口加速電極片３５２は導電取付部材３７４を介して上部ベースプレート３６８に取り付けられ、第１平行化レンズ３０２の下部入口加速電極片３５４は導電取付部材３７４を介して下部ベースプレート３７０に取り付けられている。また、第３平行化レンズ３０６の上部出口減速電極片３６４は導電取付部材３７４を介して上部ベースプレート３６８に取り付けられ、第３平行化レンズ３０６の下部出口減速電極片３６６は導電取付部材３７４を介して下部ベースプレート３７０に取り付けられている。
【０２０４】
最上流の電極部材と最下流の電極部材との中間に配置されている電極部材は絶縁取付部材３７６を介してベースプレート３６８、３７０に取り付けられている。よって、これらの電極部材には、ビーム平行化器３００の動作時に、ベースプレート３６８、３７０と異なる電位が給電部３３８により印加されうる。上述のように絶縁取付部材３７６は小型であるので、１つの電極部材はいくつかの絶縁取付部材３７６を介してベースプレート３６８、３７０に取り付けられている。
【０２０５】
なお、図１９及び図２０−１においては図面の煩雑を避けるために、導電取付部材３７４及び絶縁取付部材３７６を主として第３平行化レンズ３０６に関して指し示す。しかし、図から理解されるように、第１平行化レンズ３０２及び第２平行化レンズ３０４についても第３平行化レンズ３０６と同様に、電極部材は導電取付部材３７４または絶縁取付部材３７６を介してベースプレート３６８、３７０に取り付けられている。
【０２０６】
ベースプレート３６８、３７０は、真空容器３０８に対し移動可能に構成されている。そのために、各ベースプレート３６８、３７０と真空容器３０８との間に当該ベースプレート３６８、３７０を案内する案内部３７８が設けられている。案内部３７８は、真空容器３０８の開閉可能な壁部（例えば第１容器側壁３３４）を通じてベースプレート３６８、３７０を真空容器３０８の外に引き出し可能に構成されている。
【０２０７】
図２２には、下部ベースプレート３７０をその上に搭載されている電極片とともに真空容器３０８の外に引き出した状態を示す。ベースプレート３６８、３７０にはハンドル３８０が設けられている。このハンドル３８０を人が持って引っ張ることにより、各平行化レンズ３０２、３０４、３０６の上部（または下部）を真空容器３０８の外に引き出すことができる。平行化レンズ３０２、３０４、３０６を真空容器３０８の外に簡単に取り出すことができるので、装置の組立やメンテナンスの作業をしやすい。また、ハンドル３８０を押し込むことにより、各平行化レンズ３０２、３０４、３０６の上部（または下部）を真空容器３０８内の定位置へと収納することができる。収納された状態が図１９ないし図２１に示されている。平行化レンズ３０２、３０４、３０６がこの定位置にあるときビーム平行化器３００は動作する（すなわち、イオン注入が行われる）。
【０２０８】
図２３は、案内部３７８の一部を拡大した図である。図２３に例示するのは、第３平行化レンズ３０６の上方の出口側の案内部３７８である。よって、この案内部３７８は、出射部３２８の近傍において容器上壁３３０と上部ベースプレート３６８との間に設けられている。
【０２０９】
案内部３７８は、ガイドレール３８２及び複数の車輪３８４を備える。ガイドレール３８２は容器上壁３３０に固定されており、第１容器側壁３３４から第２容器側壁３３６へと真空容器３０８内を横断する方向３８５に沿って延在する。車輪３８４は、上部ベースプレート３６８に固定されている車輪取付リブ３８６に取り付けられている。車輪取付リブ３８６はガイドレール３８２に沿って延在しており、ガイドレール３８２には車輪取付リブ３８６に沿って車輪受け部３８７が形成されている。車輪３８４はガイドレール３８２の車輪受け部３８７に沿って移動可能であり、それにより、上部ベースプレート３６８は容器上壁３３０に対して上記の横断方向３８５に移動可能である。
【０２１０】
また、ガイドレール３８２には締結ネジ穴３８３が設けられている。締結ネジ穴３８３はガイドレール３８２におけるハンドル３８０との対向面に形成されており、ハンドル３８０の端部にも締結ネジ穴３８３に対応する穴が形成されている。各平行化レンズ３０２、３０４、３０６の上部（または下部）を真空容器３０８内の定位置へと収納するとき、ハンドル３８０がガイドレール３８２に当接する。締結ネジ穴３８３とこれに対応するネジを用いてガイドレール３８２にハンドル３８０を固定することにより、各平行化レンズ３０２、３０４、３０６の上部（または下部）を真空容器３０８内の定位置に確実に保持することができる。
【０２１１】
容器下壁３３２と下部ベースプレート３７０との間に設けられている案内部３７８についても、上述の案内部３７８と同様に構成されている。したがって、上記の案内部３７８についての説明においては、容器上壁３３０及び上部ベースプレート３６８をそれぞれ、容器下壁３３２及び下部ベースプレート３７０と読み替えてもよいものと理解されたい。
【０２１２】
図１９及び図２０−１に例示するように、１つのベースプレート３６８、３７０に２つの案内部３７８が設けられている。各案内部３７８にガイドレール３８２、車輪３８４、及び車輪取付リブ３８６が設けられている。
【０２１３】
なお、案内部による平行化レンズの移動方向は上述の方向３８５には限られない。ある実施の形態においては、平行化レンズが例えばビーム輸送方向に移動可能であるように案内部が構成されていてもよい。
【０２１４】
ビーム平行化器３００の動作時においては上述のように給電部３３８から、出口加速電極部材３４２及びそれに隣接する入口減速電極部材３４８に、共通する第１の高電圧が印加される。また、出口減速電極部材３５０及びそれに隣接する入口加速電極部材３４０には、共通する第２の高電圧が給電部３３８から印加される。ビーム平行化器３００の最上流の入口加速電極部材３４０及び最下流の出口減速電極部材３５０には第１及び第２の高電圧の中間電圧が印加される。
【０２１５】
例えば、第１の高電圧（例えば−５０ｋＶ）と第２の高電圧（例えば＋５０ｋＶ）とが互いに反対で大きさの等しい電圧であり、中間電圧が接地電位であってもよい。このようにして、ビーム平行化器３００は、入射開口３２７と出射開口３２９とでイオンビームのエネルギーが等しいように構成されていてもよい。
【０２１６】
図１９に示されるように、給電部３３８は真空容器３０８の一方側にまとめて設けられている。給電部３３８は、平行化レンズ３０２、３０４、３０６と真空容器３０８との間に配置されている給電プレート３８８を備える。給電部３３８は、真空容器３０８の外から給電プレート３８８に給電するための真空フィードスルー配線３９０を備える。給電プレート３８８は、第２容器側壁３３６に沿って延在する導体板であり、真空フィードスルー配線３９０は第２容器側壁３３６を通じて給電プレート３８８に給電する。給電プレート３８８は、絶縁部材３９１を介して第２容器側壁３３６に支持されている。給電プレート３８８は、第１の高電圧を電極部材に印加するための第１プレートと、第２の高電圧を電極部材に印加するための第２プレートと、を備える（図示せず）。
【０２１７】
なお、給電プレート３８８は、平行化レンズ３０２、３０４、３０６と真空容器３０８の他の壁部との間に配置されていてもよい。この場合、真空フィードスルー配線３９０はその壁部を通じて給電プレート３８８に給電するよう構成されていてもよい。
【０２１８】
給電プレート３８８には、給電プレート３８８から個々の電極部材に給電するための端子部３９２が設けられている。給電プレート３８８は複数の端子部３９２のための共通の電源であるとも言える。端子部３９２の各々は、対応する電極部材がイオン注入のための定位置にあるとき給電プレート３８８と当該電極部材との間で圧縮される弾性導体３９４を備える。弾性導体３９４は例えば金属製のバネである。弾性導体３９４により、平行化レンズ３０２、３０４、３０６を定位置へと押し込むだけで、給電プレート３８８との導通を簡単に確実にとることができる。
【０２１９】
図２４及び図２５に示されるように、ビームラインＬ１から遠い側（すなわち、真空容器３０８に近い側）で空間部３２２、３２４を覆う蓋部が設けられている。よって、ビームラインＬ１の上側（下側）に配置される電極片については、その電極片の上側（下側）に蓋部が設けられる。蓋部は、例えば、２つの隣接するレンズ部のうち一方のレンズ部の電極部材と、これに対向する他方のレンズ部の電極部材とを、ビームラインＬ１から遠い側で空間部３２２、３２４を覆うように連結する。
【０２２０】
図２４には、第１空間部３２２を覆うように出口加速電極部材３４２とそれに隣接する入口減速電極部材３４８とを連結する第１蓋部３９６を示す。第１蓋部３９６は、例えばエキスパンドメタル、つまり金網状部材である。従って、第１蓋部３９６は、第１空間部３２２を通じた真空排気を許容するよう構成されている。
【０２２１】
第１蓋部３９６を出口加速電極部材３４２及び入口減速電極部材３４８に取り付けるために、いくつかの取付プレート３９８が設けられている。取付プレート３９８は、電極部材３４２、３４８の湾曲形状に合わせて成形されている。第１蓋部３９６は、その外周部を取付プレート３９８と電極部材３４２、３４８との間に挟み込むようにして電極部材３４２、３４８に取り付けられる。
【０２２２】
また、ビームラインＬ１から遠い側で空間部３２２、３２４を覆うようにして隣り合う２つの電極部材のうち一方の電極部材の背面３４６側に蓋部が設けられていてもよい。図２５に示されるように、第２空間部３２４の半分を覆うように出口減速電極部材３５０の背面３４６側に第２蓋部３９７が設けられていてもよい。もう１つの第２蓋部３９７が、出口減速電極部材３５０に隣接する入口加速電極部材３４０の背面３４６側に設けられ、第２空間部３２４のもう半分がその第２蓋部３９７によって覆われていてもよい。第２蓋部３９７は、第１蓋部３９６と同様にして、取付プレート３９８と出口減速電極部材３５０との間に取り付けられる。
【０２２３】
なお、上述の蓋部は、エキスパンドメタルのような網状部材に代えて、開口を有する板状部材であってもよい。あるいは、蓋部は、開口を有しない板状部材であってもよい。こうした蓋部を導体で形成し、電極部材と同電位となるよう取り付けることにより、レンズ周辺の電場均一性を確保するのに役立つ。
【０２２４】
ある典型的なビーム平行化器の電極構成においては、ビーム輸送空間を囲む細長スリットが個々の電極に形成されている。しかし、こうした典型的な構成に比べて、図１９ないし図２５を参照して説明した実施形態によると、下記に列挙する利点の少なくとも１つを奏することができる。
１．構造が簡素であり、コストも低い。
２．材料の少量化、材料の軽量化。
３．真空コンダクタンスの改善による高真空度の確保。
４．高電圧絶縁構造・高電圧放電対策構造が簡素。
５．電極表面のイオンビーム被照射面積が小さいことによるコンタミ抑制及び汚れ防止。
６．レンズ電極と電極蓋体の組立及び分解の作業性の向上。
７．電極間の相対位置調整の容易化。
８．電極蓋体によるレンズ電極からの漏れ電場防止・電場歪み防止。
【０２２５】
例えば、本実施形態によると、２つの隣接するレンズ部３１０、３１２の間に空間部３２２、３２４が設けられている。このように、複数のレンズ部をもつ平行化レンズ配列において、その中央部に空間部３２２、３２４が設けられている。空間部３２２、３２４を通じてビーム輸送空間３１８の真空排気をすることができるので、比較的長い平行化レンズ配列における真空コンダクタンスが改善される。よって、ビーム輸送空間３１８を所望の高真空度に維持することが容易となる。また、本実施形態によると、空間部３２２、３２４がビーム輸送空間３１８を横断するように広く開放されている。これにより、真空コンダクタンスを一層改善することができる。
【０２２６】
また、本実施形態によると、空間部３２２、３２４は、基準軌道またはビームラインＬ１上のビーム平行化平面と垂直に交差する方向に向けられている。この場合、基準軌道またはビームラインＬ１と垂直に交差する平面とビーム平行化平面が交差する直線の方向において、空間体積を大きくとりやすい。これも、真空コンダクタンスの改善に役立つ。
【０２２７】
本実施形態によると、空間部３２２、３２４を広くしたことに伴って、空間部３２２、３２４を囲む電極部材は細くなる。電極部材には本来のビーム軌道から外れたイオンが衝突しうる。イオンが付着すれば電極部材は汚れる。また、衝撃により電極材料がビーム輸送空間３１８に放出されれば、イオンビームが汚染されうる。ところが、本実施形態においては電極部材が細いので、イオンが衝突しうる面積が小さい。よって、電極表面及びイオンビームの汚染が軽減される。
【０２２８】
また、本実施形態によると、各平行化レンズ３０２、３０４、３０６がビームラインＬ１の上側と下側とに分割され、相対位置を調整することができるように構成されている。上側の電極位置を下側の電極位置に対して独立に調整することができるので、ビームラインＬ１に対する上下方向の電極間隔を高精度に設定することが可能である。
【０２２９】
本実施形態によると、各電極部材または各電極片が、弓形に湾曲した棒状体に形成され、各棒状体が、平行化レンズ機能を提供する湾曲面とその反対側の背面とを有する。２つの棒状体の湾曲面間に形成されるギャップによってレンズ部が構成され、背面間は開放されている。このようにして、最小限の材料で平行化レンズを作成することができるので、費用面で有利である。また、平行化レンズを軽量化することができるので、組立やメンテナンスなどの作業性の向上にも役立つ。
【０２３０】
本実施形態によると、図２０−３、図２４、図２５に示すように、電極部材の一部を構成する網状（もしくは多数の小穴の空いた薄板状）の蓋体３９６、３９７が空間部３２２、３２４（各電極片の真空容器側の端部面）に取り付けられている。このようにすれば、空間部３２２、３２４による真空コンダクタンスの改善を犠牲にすることなく、真空容器３０８の電位（例えば接地電位）が空間部３２２、３２４の電場に与える影響を極小に低減することができる。
【０２３１】
以上、本発明を実施形態にもとづいて説明した。本発明は上記実施形態に限定されず、種々の設計変更が可能であり、様々な変形例が可能であること、またそうした変形例も本発明の範囲にあることは、当業者に理解されるところである。
【０２３２】
上述の実施形態においては、平行化レンズがビームラインの上側と下側とに分割されており、基準軌道またはビームラインＬ１に対して、互いに移動可能であるか、または相対位置を調整可能である。しかし、ある実施形態においては、平行化レンズの上部構造と下部構造とが互いに連結されていてもよい。この場合、上部構造と下部構造とが相対移動可能に構成されていてもよいし、あるいは上部構造と下部構造とが相対移動不能に固定されていてもよい。
【０２３３】
上述の実施形態においては、ビーム平行化器３００は高エネルギーイオン注入装置１００に設けられているが、本発明はこれに限られない。ある実施形態においては、ビーム平行化器３００は、高エネルギー多段直線加速ユニット１４を有しないイオン注入装置に設けられていてもよい。
【０２３４】
上述の実施形態においては、イオン注入装置はビーム走査器とビーム平行化器とを備える。しかし、ある他の実施形態においては、イオン注入装置は、ビーム走査器に代えて、リボンビーム発生器を備えてもよい。リボンビーム発生器は、イオンビームを扇形に発散させることにより扇形リボンビームを生成するよう構成されていてもよい。ビーム平行化器は、扇形リボンビームを平行化するよう構成されていてもよい。
【０２３５】
以下、本発明の幾つかの態様を挙げる。
【０２３６】
イオン注入装置のビーム平行化器であって、
基準軌道に対し平行化されたビームを前記ビーム平行化器の出口に生成するように、前記基準軌道に沿って配列されている複数の加速または減速レンズ部と、
前記複数のレンズ部を囲む真空容器と、を備え、
前記複数のレンズ部の各々は、少なくとも２つの電極から構成される弓形状湾曲ギャップを形成し、前記弓形状湾曲ギャップに印加される電場により前記基準軌道に対しビーム進行方向のなす角度を変えるよう構成されており、
前記複数のレンズ部のうち一のレンズ部の一方の電極と当該レンズ部に隣接するレンズ部の他方の電極を同電位に構成するとともに、
空間部が前記複数のレンズ部のうち一のレンズ部と当該レンズ部に隣接するレンズ部との間に設けられており、前記空間部は、前記基準軌道上のビーム平行化平面と垂直に交差する方向に向けられており、前記基準軌道を含む内側領域が、前記真空容器と前記複数のレンズ部の間となる外側領域へと前記空間部を通じて連通されていることを特徴とするビーム平行化器。
【０２３７】
２．前記複数のレンズ部は、上部構造と下部構造とに分割されており、前記上部構造と前記下部構造との間に前記基準軌道を含む内側領域が形成されていることを特徴とする実施形態１に記載のビーム平行化器。
【０２３８】
３．前記複数のレンズ部は、前記上部構造と前記下部構造との相対位置を前記基準軌道に対して調整可能であるよう構成されていることを特徴とする実施形態２に記載のビーム平行化器。
【０２３９】
４．前記複数のレンズ部の各々は、前記弓形状湾曲ギャップを定める湾曲面を各々が備える一対の電極部材を備え、各電極部材は、前記基準軌道に近接する電極中央部から両側にビーム輸送空間の外縁へと延びる背面を前記湾曲面と反対側に備え、
前記空間部は、前記隣接するレンズ部に近い前記一のレンズ部の電極部材の背面と、前記一のレンズ部に近い前記隣接するレンズ部の電極部材の背面との間に形成されていることを特徴とする実施形態１から３のいずれかに記載のビーム平行化器。
【０２４０】
５．前記真空容器は、前記基準軌道の一方側と他方側とにそれぞれ容器壁を備え、
前記一対の電極部材の各々は、前記基準軌道を挟んで離間配置される一組の電極片を備え、前記一組の電極片の一方は前記基準軌道の一方側の前記容器壁に支持され、前記一組の電極片の他方は前記基準軌道の他方側の前記容器壁に支持されていることを特徴とする実施形態４に記載のビーム平行化器。
【０２４１】
６．各電極片は、弓形に湾曲した棒状体に形成されていることを特徴とする実施形態５に記載のビーム平行化器。
【０２４２】
７．各電極部材の背面は、前記湾曲面に沿って湾曲していることを特徴とする実施形態４から６のいずれかに記載のビーム平行化器。
【０２４３】
８．少なくとも１つのレンズ部は、前記基準軌道から遠い側で前記空間部を覆う蓋部を備えることを特徴とする実施形態１から７のいずれかに記載のビーム平行化器。
【０２４４】
９．前記蓋部は、前記空間部を通じた前記内側領域の真空排気を許容するよう構成されていることを特徴とする実施形態８に記載のビーム平行化器。
【０２４５】
１０．前記複数のレンズ部の少なくとも一部を支持するベースプレートが前記複数のレンズ部の外側領域に設けられていることを特徴とする実施形態１から９のいずれかに記載のビーム平行化器。
【０２４６】
１１．前記ベースプレートは、前記空間部を通じた前記内側領域の真空排気を許容するよう構成されていることを特徴とする実施形態１０に記載のビーム平行化器。
【０２４７】
１２．少なくとも１つの電極部材または電極片が絶縁体または導電体を介して前記ベースプレートに取り付けられていることを特徴とする実施形態１０または１１に記載のビーム平行化器。
【０２４８】
１３．前記ベースプレートは、前記真空容器に対し移動可能に構成され、前記ベースプレートと前記真空容器との間に前記ベースプレートを案内する案内部が設けられていることを特徴とする実施形態１０から１２のいずれかに記載のビーム平行化器。
【０２４９】
１４．前記真空容器は、開閉可能な壁部を備え、前記案内部は、前記壁部を通じて前記ベースプレートを前記真空容器の外に引き出し可能に構成されていることを特徴とする実施形態１３に記載のビーム平行化器。
【０２５０】
１５．前記複数のレンズ部に給電するよう構成されている給電部をさらに備え、
前記給電部は、前記真空容器の外から給電され、前記真空容器と前記複数のレンズ部との間に配置されている給電プレートを備えることを特徴とする実施形態１から１４のいずれかに記載のビーム平行化器。
【０２５１】
１６．前記給電部は、前記複数のレンズ部の少なくとも１つの電極部材または電極片に前記給電プレートから給電するための端子部を備え、
前記端子部は、前記複数のレンズ部がイオン注入のための定位置にあるとき前記給電プレートと前記少なくとも１つの電極部材または電極片との間で圧縮される弾性導体を備えることを特徴とする実施形態１５に記載のビーム平行化器。
【０２５２】
１７．前記給電プレートは、前記真空容器の開閉可能な壁部とは反対側の壁部と前記複数のレンズ部との間に配置されていることを特徴とする実施形態１５または１６に記載のビーム平行化器。
【０２５３】
１８．前記ビーム平行化器の入口の上流にビームを遮蔽するビームダンプ部が設けられていることを特徴とする実施形態１から１７のいずれかに記載のビーム平行化器。
【０２５４】
１９．前記複数のレンズ部は、複数の加速レンズ部と複数の減速レンズ部とを備え、加速レンズ部と減速レンズ部とが交互に配列されていることを特徴とする実施形態１から１８のいずれかに記載のビーム平行化器。
【０２５５】
２０．各々の入口加速電極部材及び出口減速電極部材の両端部には、延長電極部を備えるよう構成し、加速または減速の同電位の電界領域を保持するよう構成したことを特徴とする実施形態１から１９のいずれかに記載のビーム平行化器。
【０２５６】
２１．前記弓形状湾曲ギャップは、前記平行化されたビームの前記基準軌道に垂直な断面における短手方向に向けられており、前記基準軌道を含む内側領域が前記複数のレンズ部の外側領域へと前記弓形状湾曲ギャップを通じて連通されていることを特徴とする実施形態１から２０のいずれかに記載のビーム平行化器。
【０２５７】
２２．イオン注入装置のビーム平行化器であって、
基準軌道に対し平行化されたビームを前記ビーム平行化器の出口に生成する少なくとも１つのレンズ部を備え、
前記少なくとも１つのレンズ部の各々は、弓形状湾曲ギャップを形成する一対の電極部材を備え、前記弓形状湾曲ギャップに印加される電場により前記基準軌道に対しビーム進行方向のなす角度を変えるよう構成されており、
前記一対の電極部材の各々は、複数の弓形状に湾曲した電極片を備えることを特徴とするビーム平行化器。
【０２５８】
２３．イオン注入装置のビーム平行化器であって、
基準軌道に対し平行化されたビームを前記ビーム平行化器の出口に生成する少なくとも１つのレンズ部と、
前記少なくとも１つのレンズ部を囲み、前記基準軌道の一方側と他方側とにそれぞれ容器壁を備える真空容器と、を備え、
前記少なくとも１つのレンズ部の各々は、弓形状湾曲ギャップを形成する一対の電極部材を備え、前記弓形状湾曲ギャップに印加される電場により前記基準軌道に対しビーム進行方向のなす角度を変えるよう構成されており、
前記一対の電極部材の各々は、前記基準軌道を挟んで離間配置される一組の電極片を備え、前記一組の電極片の一部は前記基準軌道の一方側の前記容器壁に支持され、前記一組の電極片の他の一部は前記基準軌道の他方側の前記容器壁に支持されていることを特徴とするビーム平行化器。
【０２５９】
２４．実施形態１から２３のいずれかに記載のビーム平行化器を備えるビーム輸送ラインユニットと、
イオンビームを生成するイオンビーム生成ユニットと、
前記イオンビームを加速する高エネルギー多段直線加速ユニットと、
高エネルギーに加速されたイオンビームを前記ビーム輸送ラインユニットへと方向変換する偏向ユニットと、を備えることを特徴とする高エネルギーイオン注入装置。
【０２６０】
２５．ビームラインの基準軌道の両側にビームをスキャンするビーム走査器をさらに備え、
前記複数のレンズ部の各々は、前記基準軌道の両側にスキャンされたビームを、基準軌道側に近づく方向に偏向させることにより、前記複数のレンズ部を通過したビームの軌道が基準軌道と平行になるように調整するよう構成されていることを特徴とする実施形態２４に記載の高エネルギーイオン注入装置。
【０２６１】
２６．基準軌道に対し平行化されたビームを生成するように複数の弓形状湾曲ギャップのそれぞれに電場を印加することと、
前記複数の弓形状湾曲ギャップのうち一の弓形状湾曲ギャップと当該弓形状湾曲ギャップに隣接する弓形状湾曲ギャップとの間に形成される空間部を通じて前記基準軌道を含む内側領域の真空排気をすることと、を備え、
前記空間部は、前記平行化されたビームの前記基準軌道に垂直な断面における短手方向に向けられていることを特徴とするビーム平行化方法。
【符号の説明】
【０２６２】
Ｌ１  ビームライン、  １０  イオン源、  １２  イオンビーム生成ユニット、  １４  高エネルギー多段直線加速ユニット、  １６  ビーム偏向ユニット、  １８  ビーム輸送ラインユニット、  ２０  基板処理供給ユニット、  ２２  質量分析装置、  ２４  エネルギー分析電磁石、  ２６  横収束四重極レンズ、  ２８  エネルギー分析スリット、  ３０  偏向電磁石、  ３２  ビーム整形器、  ３４  ビーム走査器、  ３６  ビーム平行化器、  ３８  最終エネルギーフィルター、  ６４  収束発散レンズ、  ７４  サプレッション電極、  ８４  平行化レンズ、  ９０  平行化電源、  ９４  最終エネルギーフィルター、  １００  高エネルギーイオン注入装置、  １３５  加速用電極、  １３５ａ  ビーム入口開口部、  １３６  減速用電極、  １３６ａ  ビーム出口開口部、  １３７  ビーム平行化器、  １３８  加速用電極、  １３９  減速用電極、  １４０，１４１  平行化電源、  １４２  ビーム平行化器、  １４７  第１の平行化電源、  １４８  第２の平行化電源、  ２００  ウェハ、  ３００  ビーム平行化器、  ３０２  第１平行化レンズ、  ３０４  第２平行化レンズ、  ３０６  第３平行化レンズ、  ３０８  真空容器、  ３０９  真空排気部、  ３１０  加速レンズ部、  ３１２  減速レンズ部、  ３１４  加速ギャップ、  ３１６  減速ギャップ、  ３１８  ビーム輸送空間、  ３２０  外側領域、  ３２２  第１空間部、  ３２４  第２空間部、  ３２６  入射部、  ３２７  入射開口、  ３２８  出射部、  ３２９  出射開口、  ３３０  容器上壁、  ３３２  容器下壁、  ３３４  第１容器側壁、  ３３６  第２容器側壁、  ３３８  給電部、  ３４０  入口加速電極部材、  ３４２  出口加速電極部材、  ３４４  湾曲面、  ３４６  背面、  ３４８  入口減速電極部材、  ３５０  出口減速電極部材、  ３５２  上部入口加速電極片、  ３５４  下部入口加速電極片、  ３５６  上部出口加速電極片、  ３５８  下部出口加速電極片、  ３６０  上部入口減速電極片、  ３６２  下部入口減速電極片、  ３６４  上部出口減速電極片、  ３６６  下部出口減速電極片、  ３６８  上部ベースプレート、  ３７０  下部ベースプレート、  ３７２  ベースプレート開口、  ３７４  導電取付部材、  ３７６  絶縁取付部材、  ３７８  案内部、  ３８０  ハンドル、  ３８２  ガイドレール、  ３８４  車輪、  ３８６  車輪取付リブ、  ３８８  給電プレート、  ３９０  真空フィードスルー配線、  ３９１  絶縁部材、  ３９２  端子部、  ３９４  弾性導体、  ３９６  第１蓋部、  ３９７  第２蓋部、  ３９８  取付プレート。
【図１】
2015153468.tif 000003
【図２】
2015153468.tif 000004
【図３】
2015153468.tif 000005
【図４】
2015153468.tif 000006
【図５】
2015153468.tif 000007
【図６】
2015153468.tif 000008
【図７】
2015153468.tif 000009
【図８】
2015153468.tif 000010
【図９】
2015153468.tif 000011
【図１０】
2015153468.tif 000012
【図１１】
2015153468.tif 000013
【図１２】
2015153468.tif 000014
【図１３】
2015153468.tif 000015
【図１４】
2015153468.tif 000016
【図１５】
2015153468.tif 000017
【図１６】
2015153468.tif 000018
【図１７】
2015153468.tif 000019
【図１８】
2015153468.tif 000020
【図１９】
2015153468.tif 000021
【図２０−１】
2015153468.tif 000022
【図２０−２】
2015153468.tif 000023
【図２０−３】
2015153468.tif 000024
【図２１】
2015153468.tif 000025
【図２２】
2015153468.tif 000026
【図２３】
2015153468.tif 000027
【図２４】
2015153468.tif 000028
【図２５】
2015153468.tif 000029